(57)【要約】【課題】従来、特許書類から課題情報と効果情報を適切に抽出できなかった。【解決手段】特許書類から文章を取得する文章取得部と、文章取得部が取得した文章から、いずれか一の効果手がかり表現の前に出現する効果表現のさらに前に出現する表現であり、かついずれか一の課題手がかり表現の前に出現する表現であり、読点より後ろの表現または文頭から後ろの表現を課題表現として取得する課題表現取得部と、文章から、いずれか一の効果手がかり表現の前に出現する表現であり、かついずれか一の課題手がかり表現の後ろに出現する表現、または、表現と効果手がかり表現とを結合した表現を効果表現として取得する効果表現取得部と、課題表現と効果表現とを対応付けて出力する出力部とを具備する情報出力装置により、特許書類から課題情報と効果情報を適切に抽出できる。【選択図】図１
2011022668.tif 000002
【特許請求の範囲】
【請求項１】
特許に関する書類である１以上の特許書類を格納し得る特許書類格納部と、
課題を示す表現である課題表現を取得するために用いる手がかり句である１以上の課題手がかり表現を格納し得る課題手がかり表現群格納部と、
効果を示す表現である効果表現を取得するために用いる手がかり句である１以上の効果手がかり表現を格納し得る効果手がかり表現群格納部と、
前記特許書類格納部から特許書類を取得し、当該特許書類のうちの予め決められた範囲の文章を取得する文章取得部と、
前記文章取得部が取得した文章から、前記効果手がかり表現群格納部のいずれか一の効果手がかり表現の前に出現する効果表現のさらに前に出現する表現であり、かつ前記課題手がかり表現群格納部のいずれか一の課題手がかり表現の前に出現する表現であり、読点より後ろの表現または文頭から後ろの表現を課題表現として取得する課題表現取得部と、
前記文章取得部が取得した文章から、前記効果手がかり表現群格納部のいずれか一の効果手がかり表現の前に出現する表現であり、かつ前記課題手がかり表現群格納部のいずれか一の課題手がかり表現の後ろに出現する表現、または、当該表現と効果手がかり表現とを結合した表現を効果表現として取得する効果表現取得部と、
前記課題表現取得部が取得した課題表現の全部または一部である課題情報と、前記効果表現取得部が取得した効果表現の全部または一部である効果情報とを対応付けて出力する出力部とを具備する情報出力装置。
【請求項２】
前記文章取得部は、
一文である文章を取得する請求項１記載の情報出力装置。
【請求項３】
前記文章取得部は、
前記特許書類のうちの発明の効果に該当する項目内の文章を取得する請求項１または請求項２記載の情報出力装置。
【請求項４】
前記課題表現取得部は、
前記文章取得部が取得した文章に対して形態素解析を行い、少なくとも文節ごとに区分された前記文章である解析後文章を取得する形態素解析手段と、
前記文章または前記解析後文章に対して、係り受け解析を行い、前記文章または前記解析後文章に含まれる各文節がかかる文節の情報を取得する係り受け解析手段と、
前記文章または前記解析後文章から、前記課題手がかり表現群格納部に含まれる１以上の課題手がかり表現を取得する課題手がかり表現候補取得手段と、
前記課題手がかり表現候補取得手段が２以上の課題手がかり表現を取得した場合、最も文末の近くに出現する課題手がかり表現であり、最長の文字列の課題手がかり表現を取得する課題手がかり表現選択手段と、
前記課題手がかり表現候補取得手段が取得した一の課題手がかり表現、または前記課題手がかり表現選択手段が取得した一の課題手がかり表現の直前の文節から、前記解析後文章を、文頭に向かって文節を結合していき、前記一の課題手がかり表現より後続の文節に係る文節の直後までの文節を結合した文字列を課題表現候補として取得する課題表現候補取得手段と、
前記課題表現候補にいずれかの課題手がかり表現が含まれるか否かを判断し、課題手がかり表現が含まれる場合は、前記課題表現候補から、前記課題手がかり表現および前記課題手がかり表現より前の文字列を削除し、課題表現を取得し、課題手がかり表現が含まれない場合は、前記課題表現候補を前記課題表現として取得する課題表現取得手段とを具備する請求項１から請求項３いずれか記載の情報出力装置。
【請求項５】
特許に関する書類である１以上の特許書類を格納し得る特許書類格納部と、
課題を示す表現である課題表現を取得するために用いる手がかり句である１以上の課題手がかり表現を格納し得る課題手がかり表現群格納部と、
効果を示す表現である効果表現を取得するために用いる手がかり句である１以上の効果手がかり表現を格納し得る効果手がかり表現群格納部と、
前記特許書類格納部から１以上の特許書類を取得し、当該特許書類のうちの予め決められた範囲の１以上の文章を取得する文章取得部と、
前記文章取得部が取得した１以上のいずれかの文章から、課題手がかり表現を検出し、当該課題手がかり表現の前に出現する文字列であり、当該課題手がかり表現に最も近い格助詞までの文字列である１以上の課題動詞を取得する課題動詞取得部と、
前記文章取得部が取得した１以上のいずれかの文章から、前記１以上のいずれかの効果手がかり表現の前に存在し、かつ前記１以上のいずれかの課題動詞の直後に存在する文字列であり、読点までの文字列を課題手がかり表現として取得する課題手がかり表現取得部と、
前記課題手がかり表現を、前記課題手がかり表現群格納部に蓄積する課題手がかり表現蓄積部とを具備する情報蓄積装置。
【請求項６】
前記課題手がかり表現蓄積部が蓄積した課題手がかり表現をも用いて、前記課題動詞取得部の処理、前記課題手がかり表現取得部の処理、および前記課題手がかり表現蓄積部の処理を、予め決められた回数だけ実行させる制御部をさらに具備する請求項５記載の情報蓄積装置。
【請求項７】
前記課題動詞取得部は、
前記文章取得部が取得した１以上のいずれかの文章から、課題手がかり表現を検出し、当該課題手がかり表現の前に出現する文字列であり、当該課題手がかり表現に最も近い格助詞までの文字列である１以上の課題動詞候補を取得する課題動詞候補取得手段と、
前記１以上の各課題動詞候補に対して、前記各課題動詞候補が、異なる課題手がかり表現および異なる効果手がかり表現と共起する度合である課題動詞多様度を算出する課題動詞多様度算出手段と、
前記課題動詞多様度が予め決められた閾値より大きいまたは閾値以上である場合に、前記課題動詞候補を課題動詞として取得する課題動詞取得手段とを具備する請求項５または請求項６記載の情報蓄積装置。
【請求項８】
前記課題手がかり表現取得部は、
前記文章取得部が取得した１以上のいずれかの文章から、前記１以上のいずれかの効果手がかり表現の前に存在し、かつ前記１以上のいずれかの課題動詞の直後に存在する文字列であり、読点までの文字列を課題手がかり表現として取得する課題手がかり表現候補取得手段と、
前記１以上の各課題手がかり表現候補に対して、前記各課題手がかり表現候補が、異なる課題動詞および異なる効果手がかり表現と共起する度合である課題手がかり表現多様度を算出する課題手がかり表現多様度算出手段と、
前記課題手がかり表現多様度が予め決められた閾値より大きいまたは閾値以上である場合に、前記課題手がかり表現候補を課題手がかり表現として取得する課題手がかり表現取得手段とを具備する請求項５から請求項７いずれか記載の情報蓄積装置。
【請求項９】
特許に関する書類である１以上の特許書類を格納し得る特許書類格納部と、
課題を示す表現である課題表現を取得するために用いる手がかり句である１以上の課題手がかり表現を格納し得る課題手がかり表現群格納部と、
効果を示す表現である効果表現を取得するために用いる手がかり句である１以上の効果手がかり表現を格納し得る効果手がかり表現群格納部と、
前記特許書類格納部から１以上の特許書類を取得し、当該特許書類のうちの予め決められた範囲の１以上の文章を取得する文章取得部と、
前記文章取得部が取得した１以上のいずれかの文章から、効果手がかり表現を検出し、当該効果手がかり表現の前に出現する文字列であり、当該効果手がかり表現に最も近い格助詞までの文字列である１以上の効果動詞を取得する効果動詞取得部と、
前記文章取得部が取得した１以上のいずれかの文章から、前記１以上のいずれかの課題手がかり表現の後ろに存在し、かつ前記１以上のいずれかの効果動詞の直後に存在する文字列であり、句点までの文字列を効果手がかり表現として取得する効果手がかり表現取得部と、
前記効果手がかり表現を、前記効果手がかり表現群格納部に蓄積する効果手がかり表現蓄積部とを具備する情報蓄積装置。
【請求項１０】
前記効果手がかり表現蓄積部が蓄積した効果手がかり表現をも用いて、前記効果動詞取得部の処理、前記効果手がかり表現取得部の処理、および前記効果手がかり表現蓄積部の処理を、予め決められた回数だけ実行させる制御部をさらに具備する請求項９記載の情報蓄積装置。
【請求項１１】
前記効果動詞取得部は、
前記文章取得部が取得した１以上のいずれかの文章から、効果手がかり表現を検出し、当該効果手がかり表現の前に出現する文字列であり、当該効果手がかり表現に最も近い格助詞までの文字列である１以上の効果動詞候補を取得する効果動詞候補取得手段と、
前記１以上の各効果動詞候補に対して、前記各効果動詞候補が、異なる課題手がかり表現および異なる効果手がかり表現と共起する度合である効果動詞多様度を算出する効果動詞多様度算出手段と、
前記効果動詞多様度が予め決められた閾値より大きいまたは閾値以上である場合に、前記効果動詞候補を効果動詞として取得する効果動詞取得手段とを具備する請求項９または請求項１０記載の情報蓄積装置。
【請求項１２】
特許に関する書類である１以上の特許書類を格納し得る特許書類格納部と、
課題を示す表現である課題表現を取得するために用いる手がかり句である１以上の課題手がかり表現を格納し得る課題手がかり表現群格納部と、
効果を示す表現である効果表現を取得するために用いる手がかり句である１以上の効果手がかり表現を格納し得る効果手がかり表現群格納部と、
前記特許書類格納部から１以上の特許書類を取得し、当該特許書類のうちの予め決められた範囲の１以上の文章を取得する文章取得部と、
前記文章取得部が取得した１以上のいずれかの文章から、効果手がかり表現を検出し、当該効果手がかり表現の直前に出現する名詞である１以上の効果名詞を取得する効果名詞取得部と、
前記文章取得部が取得した１以上のいずれかの文章から、前記１以上のいずれかの課題手がかり表現の後ろに存在し、かつ前記１以上のいずれかの効果名詞の後に存在する文字列であり、句点までの文字列を効果手がかり表現として取得する効果手がかり表現取得部と、
前記効果手がかり表現を、前記効果手がかり表現群格納部に蓄積する効果手がかり表現蓄積部とを具備する情報蓄積装置。
【請求項１３】
前記効果手がかり表現蓄積部が蓄積した効果手がかり表現をも用いて、前記効果名詞取得部の処理、前記効果手がかり表現取得部の処理、および前記効果手がかり表現蓄積部の処理を、予め決められた回数だけ実行させる制御部をさらに具備する請求項１２記載の情報蓄積装置。
【請求項１４】
前記効果名詞取得部は、
前記文章取得部が取得した１以上のいずれかの文章から、効果手がかり表現を検出し、当該効果手がかり表現の直前に出現する名詞１である以上の効果名詞候補を取得する効果名詞候補取得手段と、
前記１以上の各効果名詞候補に対して、前記各効果名詞候補が、異なる課題手がかり表現および異なる効果手がかり表現と共起する度合である効果名詞多様度を算出する効果名詞多様度算出手段と、
前記効果名詞多様度が予め決められた閾値より大きいまたは閾値以上である場合に、前記効果名詞候補を効果名詞として取得する効果名詞取得手段とを具備する請求項１２または請求項１３記載の情報蓄積装置。
【請求項１５】
前記効果手がかり表現取得部は、
前記文章取得部が取得した１以上のいずれかの文章から、前記１以上のいずれかの課題手がかり表現の後ろに存在し、かつ前記１以上のいずれかの効果動詞の直後に存在する文字列であり、句点までの文字列を効果手がかり表現候補として取得する効果手がかり表現候補取得手段と、
前記１以上の各効果手がかり表現候補に対して、前記各効果手がかり表現候補が、異なる効果動詞または効果名詞、および異なる課題手がかり表現と共起する度合である効果手がかり表現多様度を算出する効果手がかり表現多様度算出手段と、
前記効果手がかり表現多様度が予め決められた閾値より大きいまたは閾値以上である場合に、前記効果手がかり表現候補を効果手がかり表現として取得する効果手がかり表現取得手段とを具備する請求項９から請求項１４いずれか記載の情報蓄積装置。
【請求項１６】
記憶媒体に、
特許に関する書類である１以上の特許書類と、
課題を示す表現である課題表現を取得するために用いる手がかり句である１以上の課題手がかり表現と、
効果を示す表現である効果表現を取得するために用いる手がかり句である１以上の効果手がかり表現とを格納しており、
コンピュータを、
前記記憶媒体から特許書類を取得し、当該特許書類のうちの予め決められた範囲の文章を取得する文章取得部と、
前記文章取得部が取得した文章から、前記記憶媒体のいずれか一の効果手がかり表現の前に出現する効果表現のさらに前に出現する表現であり、かつ前記記憶媒体のいずれか一の課題手がかり表現の前に出現する表現であり、読点より後ろの表現または文頭から後ろの表現を課題表現として取得する課題表現取得部と、
前記文章取得部が取得した文章から、前記記憶媒体のいずれか一の効果手がかり表現の前に出現する表現であり、かつ前記記憶媒体のいずれか一の課題手がかり表現の後ろに出現する表現、または、当該表現と効果手がかり表現とを結合した表現を効果表現として取得する効果表現取得部と、
前記課題表現取得部が取得した課題表現の全部または一部である課題情報と、前記効果表現取得部が取得した効果表現の全部または一部である効果情報とを対応付けて出力する出力部として機能させるためのプログラム。
【請求項１７】
記憶媒体に、
特許に関する書類である１以上の特許書類と、
課題を示す表現である課題表現を取得するために用いる手がかり句である１以上の課題手がかり表現と、
効果を示す表現である効果表現を取得するために用いる手がかり句である１以上の効果手がかり表現とを格納しており、
コンピュータを、
前記記憶媒体から１以上の特許書類を取得し、当該特許書類のうちの予め決められた範囲の１以上の文章を取得する文章取得部と、
前記文章取得部が取得した１以上のいずれかの文章から、課題手がかり表現を検出し、当該課題手がかり表現の前に出現する文字列であり、当該課題手がかり表現に最も近い格助詞までの文字列である１以上の課題動詞を取得する課題動詞取得部と、
前記文章取得部が取得した１以上のいずれかの文章から、前記１以上のいずれかの効果手がかり表現の前に存在し、かつ前記１以上のいずれかの課題動詞の直後に存在する文字列であり、読点までの文字列を課題手がかり表現として取得する課題手がかり表現取得部と、
前記課題手がかり表現を、前記記憶媒体に蓄積する課題手がかり表現蓄積部として機能させるためのプログラム。
【請求項１８】
記憶媒体に、
特許に関する書類である１以上の特許書類と、
課題を示す表現である課題表現を取得するために用いる手がかり句である１以上の課題手がかり表現と、
効果を示す表現である効果表現を取得するために用いる手がかり句である１以上の効果手がかり表現とを格納しており、
コンピュータを、
前記記憶媒体から１以上の特許書類を取得し、当該特許書類のうちの予め決められた範囲の１以上の文章を取得する文章取得部と、
前記文章取得部が取得した１以上のいずれかの文章から、効果手がかり表現を検出し、当該効果手がかり表現の前に出現する文字列であり、当該効果手がかり表現に最も近い格助詞までの文字列である１以上の効果動詞を取得する効果動詞取得部と、
前記文章取得部が取得した１以上のいずれかの文章から、前記１以上のいずれかの課題手がかり表現の後ろに存在し、かつ前記１以上のいずれかの効果動詞の直後に存在する文字列であり、句点までの文字列を効果手がかり表現として取得する効果手がかり表現取得部と、
前記効果手がかり表現を、前記記憶媒体に蓄積する効果手がかり表現蓄積部として機能させるためのプログラム。
【請求項１９】
記憶媒体に、
特許に関する書類である１以上の特許書類と、
課題を示す表現である課題表現を取得するために用いる手がかり句である１以上の課題手がかり表現と、
効果を示す表現である効果表現を取得するために用いる手がかり句である１以上の効果手がかり表現とを格納しており、
コンピュータを、
前記記憶媒体から１以上の特許書類を取得し、当該特許書類のうちの予め決められた範囲の１以上の文章を取得する文章取得部と、
前記文章取得部が取得した１以上のいずれかの文章から、効果手がかり表現を検出し、当該効果手がかり表現の直前に出現する名詞である１以上の効果名詞を取得する効果名詞取得部と、
前記文章取得部が取得した１以上のいずれかの文章から、前記１以上のいずれかの課題手がかり表現の後ろに存在し、かつ前記１以上のいずれかの効果名詞の後に存在する文字列であり、句点までの文字列を効果手がかり表現として取得する効果手がかり表現取得部と、
前記効果手がかり表現を、前記記憶媒体に蓄積する効果手がかり表現蓄積部として機能させるためのプログラム。
【発明の詳細な説明】
【技術分野】
【０００１】
本発明は、特許書類から課題を示す情報である課題情報および効果を示す情報である効果情報を取得する情報出力装置等に関するものである。
【背景技術】
【０００２】
従来、「ことにより」という表現を手がかり表現として、特許書類から手段とその効果から構成される因果関係知識を抽出する技術があった（例えば、非特許文献１参照）。
【先行技術文献】
【非特許文献】
【０００３】
【非特許文献１】石川大介、外３名、"特許文献における因果関係の抽出と統合"、情報知識学会誌，  Ｖｏｌ．１４，  Ｎｏ．４，  ｐｐ．１０５-１１８  （２００４）．
【発明の概要】
【発明が解決しようとする課題】
【０００４】
しかしながら、従来の情報出力装置においては、一つの手がかり句を用いて、特許書類から効果のみを抽出していたので、特許書類から課題情報と効果情報とを適切に抽出できなかった。
【課題を解決するための手段】
【０００５】
本第一の発明の情報出力装置は、特許に関する書類である１以上の特許書類を格納し得る特許書類格納部と、課題を示す表現である課題表現を取得するために用いる手がかり句である１以上の課題手がかり表現を格納し得る課題手がかり表現群格納部と、効果を示す表現である効果表現を取得するために用いる手がかり句である１以上の効果手がかり表現を格納し得る効果手がかり表現群格納部と、特許書類格納部から特許書類を取得し、特許書類のうちの予め決められた範囲の文章を取得する文章取得部と、文章取得部が取得した文章から、効果手がかり表現群格納部のいずれか一の効果手がかり表現の前に出現する効果表現のさらに前に出現する表現であり、かつ課題手がかり表現群格納部のいずれか一の課題手がかり表現の前に出現する表現であり、読点より後ろの表現または文頭から後ろの表現を課題表現として取得する課題表現取得部と、文章取得部が取得した文章から、効果手がかり表現群格納部のいずれか一の効果手がかり表現の前に出現する表現であり、かつ課題手がかり表現群格納部のいずれか一の課題手がかり表現の後ろに出現する表現、または、表現と効果手がかり表現とを結合した表現を効果表現として取得する効果表現取得部と、課題表現取得部が取得した課題表現の全部または一部である課題情報と、効果表現取得部が取得した効果表現の全部または一部である効果情報とを対応付けて出力する出力部とを具備する情報出力装置である。
【０００６】
かかる構成により、特許書類から課題情報と効果情報を適切に抽出できる。
【０００７】
また、本第二の発明の情報出力装置は、第一の発明に対して、文章取得部は、一文である文章を取得する情報出力装置である。
【０００８】
かかる構成により、特許書類から課題情報と効果情報を精度高く抽出できる。
【０００９】
また、本第三の発明の情報出力装置は、第一または第二の発明に対して、文章取得部は、特許書類のうちの発明の効果に該当する項目内の文章を取得する情報出力装置である。
【００１０】
かかる構成により、特許書類から課題情報と効果情報を精度高く抽出できる。
【００１１】
また、本第四の発明の情報出力装置は、第一から第三いずれかの発明に対して、課題表現取得部は、文章取得部が取得した文章に対して形態素解析を行い、少なくとも文節ごとに区分された文章である解析後文章を取得する形態素解析手段と、文章または解析後文章に対して、係り受け解析を行い、文章または解析後文章に含まれる各文節がかかる文節の情報を取得する係り受け解析手段と、文章または解析後文章から、課題手がかり表現群格納部に含まれる１以上の課題手がかり表現を取得する課題手がかり表現候補取得手段と、課題手がかり表現候補取得手段が２以上の課題手がかり表現を取得した場合、最も文末の近くに出現する課題手がかり表現であり、最長の文字列の課題手がかり表現を取得する課題手がかり表現選択手段と、課題手がかり表現候補取得手段が取得した一の課題手がかり表現、または課題手がかり表現選択手段が取得した一の課題手がかり表現の直前の文節から、解析後文章を、文頭に向かって文節を結合していき、一の課題手がかり表現より後続の文節に係る文節の直後までの文節を結合した文字列を課題表現候補として取得する課題表現候補取得手段と、課題表現候補にいずれかの課題手がかり表現が含まれるか否かを判断し、課題手がかり表現が含まれる場合は、課題表現候補から、課題手がかり表現および課題手がかり表現より前の文字列を削除し、課題表現を取得し、課題手がかり表現が含まれない場合は、課題表現候補を課題表現として取得する課題表現取得手段とを具備する情報出力装置である。
【００１２】
かかる構成により、特許書類から課題情報と効果情報を極めて精度高く抽出できる。
【００１３】
また、本第五の発明の情報蓄積装置は、特許に関する書類である１以上の特許書類を格納し得る特許書類格納部と、課題を示す表現である課題表現を取得するために用いる手がかり句である１以上の課題手がかり表現を格納し得る課題手がかり表現群格納部と、効果を示す表現である効果表現を取得するために用いる手がかり句である１以上の効果手がかり表現を格納し得る効果手がかり表現群格納部と、特許書類格納部から１以上の特許書類を取得し、特許書類のうちの予め決められた範囲の１以上の文章を取得する文章取得部と、文章取得部が取得した１以上のいずれかの文章から、課題手がかり表現を検出し、課題手がかり表現の前に出現する文字列であり、課題手がかり表現に最も近い格助詞までの文字列である１以上の課題動詞を取得する課題動詞取得部と、文章取得部が取得した１以上のいずれかの文章から、１以上のいずれかの効果手がかり表現の前に存在し、かつ１以上のいずれかの課題動詞の直後に存在する文字列であり、読点までの文字列を課題手がかり表現として取得する課題手がかり表現取得部と、課題手がかり表現を、課題手がかり表現群格納部に蓄積する課題手がかり表現蓄積部とを具備する情報蓄積装置である。
【００１４】
かかる構成により、特許書類から課題手がかり表現を精度高く抽出できる。
【００１５】
また、本第六の発明の情報蓄積装置は、第五の発明に対して、課題手がかり表現蓄積部が蓄積した課題手がかり表現をも用いて、課題動詞取得部の処理、課題手がかり表現取得部の処理、および課題手がかり表現蓄積部の処理を、予め決められた回数だけ実行させる制御部をさらに具備する情報蓄積装置である。
【００１６】
かかる構成により、特許書類から課題手がかり表現を極めて精度高く抽出できる。
【００１７】
また、本第七の発明の情報蓄積装置は、第五または第六の発明に対して、課題動詞取得部は、文章取得部が取得した１以上のいずれかの文章から、課題手がかり表現を検出し、課題手がかり表現の前に出現する文字列であり、課題手がかり表現に最も近い格助詞までの文字列である１以上の課題動詞候補を取得する課題動詞候補取得手段と、１以上の各課題動詞候補に対して、各課題動詞候補が、異なる課題手がかり表現および異なる効果手がかり表現と共起する度合である課題動詞多様度を算出する課題動詞多様度算出手段と、課題動詞多様度が予め決められた閾値より大きいまたは閾値以上である場合に、課題動詞候補を課題動詞として取得する課題動詞取得手段とを具備する情報蓄積装置である。
【００１８】
かかる構成により、特許書類から課題手がかり表現を極めて精度高く抽出できる。
【００１９】
また、本第八の発明の情報蓄積装置は、第七の発明に対して、課題動詞多様度算出手段は、エントロピー（Ｈ（ｓｖ））を算出し、エントロピー（Ｈ（ｓｖ））を用いて課題動詞多様度を算出する情報蓄積装置である。
【００２０】
かかる構成により、特許書類から課題手がかり表現を極めて精度高く抽出できる。
【００２１】
また、本第九の発明の情報蓄積装置は、第五から第八いずれかの発明に対して、課題手がかり表現取得部は、文章取得部が取得した１以上のいずれかの文章から、１以上のいずれかの効果手がかり表現の前に存在し、かつ１以上のいずれかの課題動詞の直後に存在する文字列であり、読点までの文字列を課題手がかり表現として取得する課題手がかり表現候補取得手段と、１以上の各課題手がかり表現候補に対して、各課題手がかり表現候補が、異なる課題動詞および異なる効果手がかり表現と共起する度合である課題手がかり表現多様度を算出する課題手がかり表現多様度算出手段と、課題手がかり表現多様度が予め決められた閾値より大きいまたは閾値以上である場合に、課題手がかり表現候補を課題手がかり表現として取得する課題手がかり表現取得手段とを具備する情報蓄積装置である。
【００２２】
かかる構成により、特許書類から課題手がかり表現を極めて精度高く抽出できる。
【００２３】
また、本第十の発明の情報蓄積装置は、第九の発明に対して、課題手がかり表現多様度算出手段は、エントロピー（Ｈ（ｓｃ））を算出し、エントロピー（Ｈ（ｓｃ））を用いて課題手がかり表現多様度として算出する情報蓄積装置である。
【００２４】
かかる構成により、特許書類から課題手がかり表現を極めて精度高く抽出できる。
【００２５】
また、本第十一の発明の情報蓄積装置は、特許に関する書類である１以上の特許書類を格納し得る特許書類格納部と、課題を示す表現である課題表現を取得するために用いる手がかり句である１以上の課題手がかり表現を格納し得る課題手がかり表現群格納部と、効果を示す表現である効果表現を取得するために用いる手がかり句である１以上の効果手がかり表現を格納し得る効果手がかり表現群格納部と、特許書類格納部から１以上の特許書類を取得し、特許書類のうちの予め決められた範囲の１以上の文章を取得する文章取得部と、文章取得部が取得した１以上のいずれかの文章から、効果手がかり表現を検出し、効果手がかり表現の前に出現する文字列であり、効果手がかり表現に最も近い格助詞までの文字列である１以上の効果動詞を取得する効果動詞取得部と、文章取得部が取得した１以上のいずれかの文章から、１以上のいずれかの課題手がかり表現の後ろに存在し、かつ１以上のいずれかの効果動詞の直後に存在する文字列であり、句点までの文字列を効果手がかり表現として取得する効果手がかり表現取得部と、効果手がかり表現を、効果手がかり表現群格納部に蓄積する効果手がかり表現蓄積部とを具備する情報蓄積装置である。
【００２６】
かかる構成により、特許書類から効果手がかり表現を精度高く抽出できる。
【００２７】
また、本第十二の発明の情報蓄積装置は、第十一の発明に対して、効果手がかり表現蓄積部が蓄積した効果手がかり表現をも用いて、効果動詞取得部の処理、効果手がかり表現取得部の処理、および効果手がかり表現蓄積部の処理を、予め決められた回数だけ実行させる制御部をさらに具備する情報蓄積装置である。
【００２８】
かかる構成により、特許書類から効果手がかり表現を極めて精度高く抽出できる。
【００２９】
また、本第十三の発明の情報蓄積装置は、第十一または第十二の発明に対して、効果動詞取得部は、文章取得部が取得した１以上のいずれかの文章から、効果手がかり表現を検出し、効果手がかり表現の前に出現する文字列であり、効果手がかり表現に最も近い格助詞までの文字列である１以上の効果動詞候補を取得する効果動詞候補取得手段と、１以上の各効果動詞候補に対して、各効果動詞候補が、異なる課題手がかり表現および異なる効果手がかり表現と共起する度合である効果動詞多様度を算出する効果動詞多様度算出手段と、効果動詞多様度が予め決められた閾値より大きいまたは閾値以上である場合に、効果動詞候補を効果動詞として取得する効果動詞取得手段とを具備する情報蓄積装置である。
【００３０】
かかる構成により、特許書類から効果手がかり表現を極めて精度高く抽出できる。
【００３１】
また、本第十四の発明の情報蓄積装置は、第十三の発明に対して、効果動詞多様度算出手段は、エントロピー（Ｈ（ｅｖ））を算出し、エントロピー（Ｈ（ｅｖ））を用いて課題動詞多様度として算出する情報蓄積装置である。
【００３２】
かかる構成により、特許書類から効果手がかり表現を極めて精度高く抽出できる。
【００３３】
また、本第十五の発明の情報蓄積装置は、特許に関する書類である１以上の特許書類を格納し得る特許書類格納部と、課題を示す表現である課題表現を取得するために用いる手がかり句である１以上の課題手がかり表現を格納し得る課題手がかり表現群格納部と、効果を示す表現である効果表現を取得するために用いる手がかり句である１以上の効果手がかり表現を格納し得る効果手がかり表現群格納部と、特許書類格納部から１以上の特許書類を取得し、特許書類のうちの予め決められた範囲の１以上の文章を取得する文章取得部と、文章取得部が取得した１以上のいずれかの文章から、効果手がかり表現を検出し、効果手がかり表現の直前に出現する名詞である１以上の効果名詞を取得する効果名詞取得部と、文章取得部が取得した１以上のいずれかの文章から、１以上のいずれかの課題手がかり表現の後ろに存在し、かつ１以上のいずれかの効果名詞の後に存在する文字列であり、句点までの文字列を効果手がかり表現として取得する効果手がかり表現取得部と、効果手がかり表現を、効果手がかり表現群格納部に蓄積する効果手がかり表現蓄積部とを具備する情報蓄積装置である。
【００３４】
かかる構成により、特許書類から効果手がかり表現を極めて精度高く抽出できる。
【００３５】
また、本第十六の発明の情報蓄積装置は、第十五の発明に対して、効果手がかり表現蓄積部が蓄積した効果手がかり表現をも用いて、効果名詞取得部の処理、効果手がかり表現取得部の処理、および効果手がかり表現蓄積部の処理を、予め決められた回数だけ実行させる制御部をさらに具備する情報蓄積装置である。
【００３６】
かかる構成により、特許書類から効果手がかり表現を極めて精度高く抽出できる。
【００３７】
また、本第十七の発明の情報蓄積装置は、第十五または第十六の発明に対して、効果名詞取得部は、文章取得部が取得した１以上のいずれかの文章から、効果手がかり表現を検出し、効果手がかり表現の直前に出現する名詞１である以上の効果名詞候補を取得する効果名詞候補取得手段と、１以上の各効果名詞候補に対して、各効果名詞候補が、異なる課題手がかり表現および異なる効果手がかり表現と共起する度合である効果名詞多様度を算出する効果名詞多様度算出手段と、効果名詞多様度が予め決められた閾値より大きいまたは閾値以上である場合に、効果名詞候補を効果名詞として取得する効果名詞取得手段とを具備する情報蓄積装置である。
【００３８】
かかる構成により、特許書類から効果手がかり表現を極めて精度高く抽出できる。
【００３９】
また、本第十八の発明の情報蓄積装置は、第十七の発明に対して、効果名詞多様度算出手段は、エントロピー（Ｈ（ｅｎ））を算出し、エントロピー（Ｈ（ｅｎ））を用いて効果名詞多様度として算出する情報蓄積装置である。
【００４０】
かかる構成により、特許書類から効果手がかり表現を極めて精度高く抽出できる。
【００４１】
また、本第十九の発明の情報蓄積装置は、第十一から第十八いずれかの発明に対して、効果手がかり表現取得部は、文章取得部が取得した１以上のいずれかの文章から、１以上のいずれかの課題手がかり表現の後ろに存在し、かつ１以上のいずれかの効果動詞の直後に存在する文字列であり、句点までの文字列を効果手がかり表現候補として取得する効果手がかり表現候補取得手段と、１以上の各効果手がかり表現候補に対して、各効果手がかり表現候補が、異なる効果動詞または効果名詞、および異なる課題手がかり表現と共起する度合である効果手がかり表現多様度を算出する効果手がかり表現多様度算出手段と、効果手がかり表現多様度が予め決められた閾値より大きいまたは閾値以上である場合に、効果手がかり表現候補を効果手がかり表現として取得する効果手がかり表現取得手段とを具備する情報蓄積装置である。
【００４２】
かかる構成により、特許書類から効果手がかり表現を極めて精度高く抽出できる。
【００４３】
また、本第二十の発明の情報蓄積装置は、第十七の発明に対して、効果手がかり表現多様度算出手段は、エントロピー（Ｈ（ｅｃ））を算出し、エントロピー（Ｈ（ｅｃ））を用いて効果手がかり表現多様度として算出する情報蓄積装置である。
【００４４】
かかる構成により、特許書類から効果手がかり表現を極めて精度高く抽出できる。
【発明の効果】
【００４５】
本発明による情報出力装置によれば、特許書類から課題情報と効果情報を適切に抽出できる。
【図面の簡単な説明】
【００４６】
【図１】実施の形態１における情報出力装置のブロック図
【図２】同情報出力装置の動作について説明するフローチャート
【図３】同効果取得処理の動作について説明するフローチャート
【図４】同効果取得処理の動作について説明するフローチャート
【図５】同特許書類の例を示す図
【図６】同課題手がかり表現群管理表の例を示す図
【図７】同効果手がかり表現群管理表の例を示す図
【図８】同課題情報と効果情報との対の出力例を示す図
【図９】実施の形態２における情報蓄積装置のブロック図
【図１０】同情報蓄積装置のブロック図
【図１１】同情報蓄積装置の動作について説明するフローチャート
【図１２】同課題動詞取得処理の動作について説明するフローチャート
【図１３】同効果動詞取得処理の動作について説明するフローチャート
【図１４】同課題動詞取得処理の動作について説明するフローチャート
【図１５】同表現取得処理の動作について説明するフローチャート
【図１６】同表現取得処理の動作について説明するフローチャート
【図１７】同情報蓄積装置の動作について説明するフローチャート
【図１８】同情報蓄積装置の動作の概念を説明する図
【図１９】同課題動詞の取得動作の概要を説明する図
【図２０】同課題手がかり表現の取得動作の概要を説明する図
【図２１】同効果動詞の取得動作の概要を説明する図
【図２２】同「こと型」効果手がかり表現の取得動作の概要を説明する図
【図２３】同効果名詞の取得動作の概要を説明する図
【図２４】同「動詞型」効果手がかり表現の取得動作の概要を説明する図
【図２５】同情報蓄積装置の評価実験結果を示す図
【図２６】同情報蓄積装置の評価実験結果を示す図
【図２７】同情報蓄積装置の評価実験結果を示す図
【図２８】同情報蓄積装置の評価実験結果を示す図
【図２９】同ベースラインにおける評価実験結果を示す図
【図３０】同コンピュータシステムの概観図
【図３１】同コンピュータシステムの内部構成を示す図
【発明を実施するための形態】
【００４７】
以下、情報出力装置等の実施形態について図面を参照して説明する。なお、実施の形態において同じ符号を付した構成要素は同様の動作を行うので、再度の説明を省略する場合がある。
【００４８】
（実施の形態１）
【００４９】
本実施の形態において、課題手がかり表現群および効果手がかり表現群を用いて、特許書類の所定の範囲の文章を取得し、当該文章から課題情報および効果情報の対を取得する情報出力装置について説明する。
【００５０】
図１は、本実施の形態における情報出力装置１のブロック図である。情報出力装置１は、特許書類格納部１１、課題手がかり表現群格納部１２、効果手がかり表現群格納部１３、文章取得部１４、課題表現取得部１５、効果表現取得部１６、出力部１７を備える。
【００５１】
課題表現取得部１５は、形態素解析手段１５１、係り受け解析手段１５２、課題手がかり表現候補取得手段１５３、課題手がかり表現選択手段１５４、課題表現候補取得手段１５５を備える。
【００５２】
特許書類格納部１１は、１以上の特許書類を格納し得る。特許書類とは、特許に関する書類のデータである。特許書類は、通常、1以上のファイルであるが、データ形式は問わない。特許書類は、特許公開公報、特許公報、出願前の特許明細書など、特許に関する書類のデータであれば良い。特許書類格納部１１は、不揮発性の記録媒体が好適であるが、揮発性の記録媒体でも実現可能である。特許書類格納部１１に特許書類が記憶される過程は問わない。例えば、記録媒体を介して特許書類が特許書類格納部１１で記憶されるようになってもよく、通信回線等を介して送信された特許書類が特許書類格納部１１で記憶されるようになってもよく、あるいは、入力デバイスを介して入力された特許書類が特許書類格納部１１で記憶されるようになってもよい。
【００５３】
課題手がかり表現群格納部１２は、１以上の課題手がかり表現を格納し得る。１以上の課題手がかり表現を、適宜、課題手がかり表現群という。課題手がかり表現は、課題を示す表現である課題表現を取得するために用いる手がかり句である。ここで、手がかり句とは、文字列であり、句点や読点を含んでも含まなくても良い。つまり、句とは、文字列、という程度の意味である。また、課題とは、発明が解決しようとしている課題である。課題とは、通常、発明が解決しようとしている技術上の課題である。ただし、課題とは、ビジネス上の課題、その他の課題も含む広い概念と考えても良い。また、課題とは、発明の目的でも良く、課題手がかり表現は、例えば、「ことができ、」や「ことにより」などである。課題手がかり表現群格納部１２は、不揮発性の記録媒体が好適であるが、揮発性の記録媒体でも実現可能である。課題手がかり表現群格納部１２に課題手がかり表現が記憶される過程は問わない。例えば、記録媒体を介して課題手がかり表現が課題手がかり表現群格納部１２で記憶されるようになってもよく、通信回線等を介して送信された課題手がかり表現が課題手がかり表現群格納部１２で記憶されるようになってもよく、あるいは、入力デバイスを介して入力された課題手がかり表現が課題手がかり表現群格納部１２で記憶されるようになってもよい。
【００５４】
効果手がかり表現群格納部１３は、１以上の効果手がかり表現を格納し得る。１以上の効果手がかり表現を効果手がかり表現群という。効果手がかり表現とは、効果を示す表現である効果表現を取得するために用いる手がかり句である。効果とは、発明の効果である。発明の効果とは、発明の長所などを含むように、広く解することは好適である。効果手がかり表現群格納部１３は、不揮発性の記録媒体が好適であるが、揮発性の記録媒体でも実現可能である。効果手がかり表現群格納部１３に効果手がかり表現が記憶される過程は問わない。例えば、記録媒体を介して効果手がかり表現が効果手がかり表現群格納部１３で記憶されるようになってもよく、通信回線等を介して送信された効果手がかり表現が効果手がかり表現群格納部１３で記憶されるようになってもよく、あるいは、入力デバイスを介して入力された効果手がかり表現が効果手がかり表現群格納部１３で記憶されるようになってもよい。
【００５５】
文章取得部１４は、特許書類格納部１１から特許書類を取得し、特許書類のうちの予め決められた範囲の文章を取得する。文章取得部１４が取得する文章は、一文であることは好適である。ただし、文章取得部１４は、２以上の文を有する文章を取得しても良い。文章取得部１４は、特許書類のうちの発明の効果に該当する項目内の文章を取得することは好適である。つまり、予め決められた範囲とは、例えば、［発明の効果］の項目、［発明の課題］の項目など、予め決められた範囲の情報である。また、予め決められた範囲とは、例えば、書類［明細書］や書類［要約書］など、特定の書類や特定のファイルなどでも良い。ただし、文章取得部１４は、特許明細書の実施の形態における、いわゆる「なお書き」や、「以上、本実施の形態によれば」などの特定の文字列を含む文章を取得しても良い。さらに、文章取得部１４は、特許書類の中の要約書の中の特定の項目（特定のタグ）に対応する文章を取得しても良い。文章取得部１４は、通常、ＭＰＵやメモリ等から実現され得る。文章取得部１４の処理手順は、通常、ソフトウェアで実現され、当該ソフトウェアはＲＯＭ等の記録媒体に記録されている。但し、ハードウェア（専用回路）で実現しても良い。
【００５６】
課題表現取得部１５は、文章取得部１４が取得した文章から、課題表現を取得する。具体的には、まず、課題表現取得部１５は、文章取得部１４が取得した文章を取得する。そして、課題表現取得部１５は、当該文章から、効果手がかり表現群格納部１３のいずれか一の効果手がかり表現の前に出現する効果表現のさらに前に出現する表現であり、かつ課題手がかり表現群格納部１２のいずれか一の課題手がかり表現の前に出現する表現であり、読点より後ろの表現または文頭から後ろの表現を課題表現として取得する。つまり、例えば、課題表現取得部１５は、文章取得部１４が取得した文章が、「課題表現＋課題手がかり表現＋効果表現＋効果手がかり表現」となっている、という特性を利用する。そして、課題表現取得部１５は、文章取得部１４が取得した文章（好ましくは一文）の後ろから検査をし、効果手がかり表現群格納部１３のいずれか一の効果手がかり表現を検出する。次に、課題表現取得部１５は、効果手がかり表現の前の効果表現を検出する。次に、課題表現取得部１５は、効果表現の前に位置する課題手がかり表現を検出する。そして、課題表現取得部１５は、課題手がかり表現の前の文字列であり、読点までの文字列（通常、読点を含まないが含んでも良い）、または文頭までの文字列を、課題表現として取得する。課題表現取得部１５は、通常、ＭＰＵやメモリ等から実現され得る。課題表現取得部１５の処理手順は、通常、ソフトウェアで実現され、当該ソフトウェアはＲＯＭ等の記録媒体に記録されている。但し、ハードウェア（専用回路）で実現しても良い。
【００５７】
形態素解析手段１５１は、文章取得部１４が取得した文章に対して形態素解析を行い、少なくとも文節ごとに区分された文章である解析後文章を取得する。形態素解析は、公知技術であり、例えば、ＣｈａＳｅｎ、ＭｅＣａｂなどにより実現される。ＣｈａＳｅｎについて、＜ＵＲＬ：ｈｔｔｐ：／／ｊａ．ｗｉｋｉｐｅｄｉａ．ｏｒｇ／ｗｉｋｉ／ＣｈａＳｅｎ＞等に説明が存在する。ＭｅＣａｂについて、＜ＵＲＬ：ｈｔｔｐ：／／ｊａ．ｗｉｋｉｐｅｄｉａ．ｏｒｇ／ｗｉｋｉ／ＭｅＣａｂ＞等に説明が存在する。形態素解析手段１５１は、少なくとも文節ごとに文章を区分するが、さらに細かく単語ごと、文字ごとにも、文章を区分しても良い。形態素解析手段１５１は、通常、ＭＰＵやメモリ等から実現され得る。形態素解析手段１５１の処理手順は、通常、ソフトウェアで実現され、当該ソフトウェアはＲＯＭ等の記録媒体に記録されている。但し、ハードウェア（専用回路）で実現しても良い。
【００５８】
係り受け解析手段１５２は、文章または解析後文章に対して、係り受け解析を行い、文章または解析後文章に含まれる各文節がかかる文節の情報を取得する。係り受け解析は、公知技術であり、例えば、ＣａｂｏＣｈａなどにより実現される。ＣａｂｏＣｈａについて、＜ＵＲＬ：ｈｔｔｐ：／／ｃｈａｓｅｎ．ｏｒｇ／〜ｔａｋｕ／ｓｏｆｔｗａｒｅ／ｃａｂｏｃｈａ／＞等に説明が存在する。なお、ここで、文節の情報とは、どの文節がどの文節にかかるかを示す情報である。文節の情報の形態、フォーマット等は問わない。係り受け解析手段１５２は、通常、ＭＰＵやメモリ等から実現され得る。係り受け解析手段１５２の処理手順は、通常、ソフトウェアで実現され、当該ソフトウェアはＲＯＭ等の記録媒体に記録されている。但し、ハードウェア（専用回路）で実現しても良い。
【００５９】
課題手がかり表現候補取得手段１５３は、文章または解析後文章から、課題手がかり表現を取得する。課題手がかり表現候補取得手段１５３は、課題手がかり表現群格納部１２に含まれる１以上の各課題手がかり表現を読み出し、当該各課題手がかり表現が、文章または解析後文章に含まれるか否かを判断し、文章または解析後文章に含まれる１以上の課題手がかり表現を取得する。課題手がかり表現候補取得手段１５３は、通常、ＭＰＵやメモリ等から実現され得る。課題手がかり表現候補取得手段１５３の処理手順は、通常、ソフトウェアで実現され、当該ソフトウェアはＲＯＭ等の記録媒体に記録されている。但し、ハードウェア（専用回路）で実現しても良い。
【００６０】
課題手がかり表現選択手段１５４は、課題手がかり表現候補取得手段１５３が２以上の課題手がかり表現を取得した場合、最も文末の近くに出現する課題手がかり表現を取得する。最も文末の近くに出現する課題手がかり表現が２以上存在する場合、課題手がかり表現選択手段１５４は、最長の文字列の課題手がかり表現を取得する。つまり、課題手がかり表現候補取得手段１５３が２以上の課題手がかり表現を取得した場合、課題手がかり表現選択手段１５４は、最も文末の近くに出現する課題手がかり表現であり、かつ最長の文字列の課題手がかり表現を取得する。ここで、取得するとは、前記文章または前記解析後文章または課題手がかり表現群格納部１２から取得することである。課題手がかり表現選択手段１５４は、通常、ＭＰＵやメモリ等から実現され得る。課題手がかり表現選択手段１５４の処理手順は、通常、ソフトウェアで実現され、当該ソフトウェアはＲＯＭ等の記録媒体に記録されている。但し、ハードウェア（専用回路）で実現しても良い。
【００６１】
課題表現候補取得手段１５５は、課題手がかり表現候補取得手段１５３が取得した一の課題手がかり表現、または課題手がかり表現選択手段１５４が取得した一の課題手がかり表現の直前の文節から、解析後文章（解析前の文章でも同様）を、文頭に向かって文節を結合していき、前記一の課題手がかり表現より後続の文節に係る文節の直後までの文節を結合した文字列を課題表現候補として取得する。例えば、対象の文章が「また、搬送ベルトと押えベルトのキャリア側ベルトによって段ボールを全体にわたって略均一に挾持することができるため、滑りを与えることなく段ボールを確実に牽引することができる。」である場合、課題表現候補取得手段１５５は、前記文章から、一の課題手がかり表現「ことができるため、」を検出し、当該表現から、文節を結合していき、一の課題手がかり表現「ことができるため、」より後続の文節「ことができる。」に係る文節「また、」の直後までの文節「搬送ベルトと」を結合した文字列「搬送ベルトと押えベルトのキャリア側ベルトによって段ボールを全体にわたって略均一に挾持する」を課題表現候補として取得する。課題表現候補取得手段１５５は、通常、ＭＰＵやメモリ等から実現され得る。課題表現候補取得手段１５５の処理手順は、通常、ソフトウェアで実現され、当該ソフトウェアはＲＯＭ等の記録媒体に記録されている。但し、ハードウェア（専用回路）で実現しても良い。
【００６２】
効果表現取得部１６は、文章取得部１４が取得した文章から、効果手がかり表現群格納部１３のいずれか一の効果手がかり表現の前に出現する表現であり、かつ課題手がかり表現群格納部１２のいずれか一の課題手がかり表現の後ろに出現する表現を効果表現として取得する。効果表現取得部１６は、取得した表現に、効果手がかり表現を結合した表現を効果表現として取得することは好適である。なお、効果表現取得部１６は、効果手がかり表現を結合する前の表現を、効果表現として取得しても良い。また、表現とは、文字列である。効果表現取得部１６は、通常、ＭＰＵやメモリ等から実現され得る。効果表現取得部１６の処理手順は、通常、ソフトウェアで実現され、当該ソフトウェアはＲＯＭ等の記録媒体に記録されている。但し、ハードウェア（専用回路）で実現しても良い。
【００６３】
出力部１７は、課題表現取得部１５が取得した課題表現の全部または一部である課題情報と、効果表現取得部１６が取得した効果表現の全部または一部である効果情報とを対応付けて出力する。課題情報は、課題表現の全部であることが好適である。ただし、課題情報は、課題表現のうちの自立語のみ、課題表現を要約手段にかけた結果など、課題表現の一部でも良い。効果情報は、効果表現の全部であることが好適である。ただし、効果情報は、効果表現のうちの自立語のみ、効果表現を要約手段にかけた結果など、効果表現の一部でも良い。ここで、対応付けてとは、同じ特許書類における課題情報、効果情報であることがわかるように出力すれば良い。出力の態様は問わない。対応付けてとは、単に、同時に、または同画面に出力するだけでも良い。また、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。出力部１７は、ディスプレイやスピーカー等の出力デバイスを含むと考えても含まないと考えても良い。出力部１７は、出力デバイスのドライバーソフトまたは、出力デバイスのドライバーソフトと出力デバイス等で実現され得る。
【００６４】
次に、情報出力装置１の動作について、図２のフローチャートを用いて説明する。
【００６５】
（ステップＳ２０１）文章取得部１４は、特許書類格納部１１から特許書類を読み込む。文章取得部１４は、ユーザから指定された特許書類を読み込んでも良いし、順次、一つずつ特許書類を読み込んでも良い。なお、文章取得部１４は、順次、一つずつ特許書類を読み込む場合、ステップＳ２０２からステップＳ２０８まで、ループすることとなる。
【００６６】
（ステップＳ２０２）文章取得部１４は、ステップＳ２０１で読み込んだ特許書類のうちの予め決められた範囲の文章（文章群）を取得する。なお、文章群とは、１以上の文章である。また、本明細書において、文章は、適宜、文章群であることともある。
【００６７】
（ステップＳ２０３）課題表現取得部１５は、カウンタｉに１を代入する。
【００６８】
（ステップＳ２０４）課題表現取得部１５は、ステップＳ２０２で読み込んだ文章群の中に、ｉ番目の文章が存在するか否かを判断する。ｉ番目の文章が存在すればステップＳ２０５に行き、ｉ番目の文章が存在しなければ処理を終了する。
【００６９】
（ステップＳ２０５）課題表現取得部１５および効果表現取得部１６は、課題表現および効果表現を取得する。かかる処理を課題・効果取得処理という。課題・効果取得処理について、図３、図４のフローチャートを用いて説明する。
【００７０】
（ステップＳ２０６）出力部１７は、ステップＳ２０５で課題表現と効果表現を抽出できたか否かを判断する。抽出できていればステップＳ２０７に行き、抽出できていなければステップＳ２０８に行く。
【００７１】
（ステップＳ２０７）出力部１７は、ステップＳ２０５で取得した課題表現から課題情報を構成し、ステップＳ２０５で取得した効果表現から効果情報を構成する。そして、出力部１７は、課題情報と効果情報とを出力する。ここで、出力とは、ディスプレイ等への表示でも良いし、記録媒体への蓄積等でも良い。
【００７２】
（ステップＳ２０８）課題表現取得部１５は、カウンタｉを１、インクリメントする。ステップＳ２０４に戻る。
【００７３】
次に、ステップＳ２０５の課題・効果取得処理について、図３、図４のフローチャートを用いて説明する。
【００７４】
（ステップＳ３０１）形態素解析手段１５１は、文章に対して形態素解析を行い、少なくとも文節ごとに区分された文章である解析後文章を取得する。
【００７５】
（ステップＳ３０２）係り受け解析手段１５２は、文章または解析後文章に対して、係り受け解析を行い、文章または解析後文章に含まれる各文節がかかる文節の情報を取得する。
【００７６】
（ステップＳ３０３）課題手がかり表現候補取得手段１５３は、カウンタｉに１を代入する。
【００７７】
（ステップＳ３０４）課題手がかり表現候補取得手段１５３は、課題手がかり表現群格納部１２に、ｉ番目の課題手がかり表現が存在するか否かを判断する。ｉ番目の課題手がかり表現が存在すればステップＳ３０５に行き、ｉ番目の課題手がかり表現が存在しなければステップＳ３０９に行く。
【００７８】
（ステップＳ３０５）課題手がかり表現候補取得手段１５３は、課題手がかり表現群格納部１２から、ｉ番目の課題手がかり表現を読み出す。
【００７９】
（ステップＳ３０６）課題手がかり表現候補取得手段１５３は、ｉ番目の課題手がかり表現が、文章中に含まれるか否かを判断する。ｉ番目の課題手がかり表現が、文章中に含まれればステップＳ３０７に行き、含まれなければステップＳ３０８に行く。なお、ｉ番目の課題手がかり表現が文章中に含まれるか否かは、解析後文章を調べても良い。
【００８０】
（ステップＳ３０７）課題手がかり表現候補取得手段１５３は、ｉ番目の課題手がかり表現を、バッファに一時格納する。バッファである記憶媒体は、不揮発性の記録媒体でも、揮発性の記録媒体でも良い。
【００８１】
（ステップＳ３０８）課題手がかり表現候補取得手段１５３は、カウンタｉを１、インクリメントする。ステップＳ３０４に行く。
【００８２】
（ステップＳ３０９）課題手がかり表現選択手段１５４は、課題手がかり表現候補取得手段１５３が２以上の課題手がかり表現を取得した場合、最も文末の近くに出現する課題手がかり表現であり、最長の文字列の課題手がかり表現を、最終的な課題手がかり表現として、取得する。また、課題手がかり表現選択手段１５４は、課題手がかり表現候補取得手段１５３が一つの課題手がかり表現を取得した場合、それを、最終的な課題手がかり表現として、取得する。
【００８３】
（ステップＳ３１０）効果表現取得部１６の効果手がかり表現取得手段１６３（図示しない）は、カウンタｉに１を代入する。
【００８４】
（ステップＳ３１１）効果手がかり表現候補取得手段１６３は、効果手がかり表現群格納部１３から、ｉ番目の効果手がかり表現を読み出す。
【００８５】
（ステップＳ３１２）効果手がかり表現取得手段１６３は、効果手がかり表現群格納部１３に、ｉ番目の効果手がかり表現が存在するか否かを判断する。ｉ番目の効果手がかり表現が存在すればステップＳ３１３に行き、ｉ番目の効果手がかり表現が存在しなければステップＳ３１５に行く。
【００８６】
（ステップＳ３１３）効果手がかり表現候補取得手段１６３は、ｉ番目の効果手がかり表現が、文章中に含まれるか否かを判断する。ｉ番目の効果手がかり表現が、文章中に含まれればステップＳ１４に行き、含まれなければステップＳ１６に行く。なお、ｉ番目の効果手がかり表現が文章中に含まれるか否かは、解析後文章を調べても良い。
【００８７】
（ステップＳ３１４）効果手がかり表現候補取得手段１６３は、ｉ番目の効果手がかり表現を、バッファに一時格納する。バッファである記憶媒体は、不揮発性の記録媒体でも、揮発性の記録媒体でも良い。
【００８８】
（ステップＳ３１５）効果手がかり表現候補取得手段１６３は、カウンタｉを１、インクリメントする。ステップＳ３１１に行く。
【００８９】
（ステップＳ３１６）効果表現取得部１６の効果手がかり表現選択手段１６４（図示しない）は、バッファ中の効果手がかり表現の中で、文字列が最長の効果手がかり表現を、最終的な効果手がかり表現として選択する。
【００９０】
（ステップＳ３１７）課題表現候補取得手段１５５は、ポイントｐを、選択した課題手がかり表現の先頭に持ってくる。
【００９１】
（ステップＳ３１８）課題表現候補取得手段１５５は、ポイントｐを、一つ前の文節に移動する。
【００９２】
（ステップＳ３１９）課題表現候補取得手段１５５は、ポイントｐが存在する文節について、当該文節が係る文節の情報を取得する。文節が係る文節の情報とは、文節が係る文節の位置を特定する情報であれば良い。
【００９３】
（ステップＳ３２０）課題表現候補取得手段１５５は、ステップＳ３１９で取得した文節が係る文節の情報から、文節が係る文節は、課題手がかり表現より後続の文節であるか否かを判断する。課題手がかり表現より後続の文節であればステップＳ３２１に行き、課題手がかり表現より後続の文節でなければステップＳ３２６に行く。
【００９４】
（ステップＳ３２１）課題表現候補取得手段１５５は、バッファ中の文節群（文字列）を、課題表現候補として取得する。
【００９５】
（ステップＳ３２２）課題表現候補取得手段１５５は、ステップＳ３２１で取得した課題表現候補に、課題手がかり表現群格納部１２のいずれかの課題手がかり表現が含まれるか否かを判断する。課題手がかり表現が含まれればステップＳ３２３に行き、課題手がかり表現が含まれなければステップＳ３２４に行く。
【００９６】
（ステップＳ３２３）課題表現候補取得手段１５５は、ステップＳ３２１で取得した課題表現候補から、課題手がかり表現、および課題手がかり表現より前の文字列を削除し、課題表現を取得する。
【００９７】
（ステップＳ３２４）効果表現取得部１６は、課題手かがり表現と、効果手がかり表現との間の文字列を取得する。
【００９８】
（ステップＳ３２５）効果表現取得部１６は、ステップＳ３２４で取得した文字列と、効果手がかり表現とを結合した表現である効果表現を取得する。
【００９９】
（ステップＳ３２６）課題表現候補取得手段１５５は、当該文節を、バッファ中の文節群に結合する。なお、文節群は、最初は空（ＮＵＬＬ）である。ステップＳ３１８に行く。
【０１００】
以下、本実施の形態における情報出力装置１の具体的な動作について説明する。
【０１０１】
今、特許書類格納部１１は、図５に示す特許書類（ａ）（ｂ）を格納している。この特許書類は、ここでは特許明細書である。
【０１０２】
また、課題手がかり表現群格納部１２は、図６に示す課題手がかり表現群管理表を保持している。課題手がかり表現群管理表は、１以上の課題手がかり表現を格納している。
【０１０３】
さらに、効果手がかり表現群格納部１３は、図７に示す効果手がかり表現群管理表を保持している。効果手がかり表現群管理表は、１以上の効果手がかり表現を格納している。効果手がかり表現群管理表は、「こと型」効果手がかり表現と、「動詞型」効果手がかり表現とを有する。ここでは、効果手がかり表現群管理表は、「こと型」効果手がかり表現と、「動詞型」効果手がかり表現ごとに、効果手がかり表現を格納している。「こと型」効果手がかり表現とは、「ことができる。」や「ことが優れている。」などであり、「こと」を有する文字列である。「動詞型」効果手がかり表現は、「を図れる。」や「を減少できる。」などであり、動詞を有する文字列である。
【０１０４】
かかる状況において、ユーザは、情報出力装置１に対して、動作実行指示を入力した、とする。すると、情報出力装置１における、図示しない手段が、動作実行指示を受け付ける。
【０１０５】
次に、文章取得部１４は、図５に示す特許書類（ａ）を読み込む。そして、文章取得部１４は、図５に示す特許書類（ａ）から［発明の効果］に対応する文章「・・・・することにより、旋回機構の回動を任意の位置で停止させることができるため、安定した状態で正確な位置に収容部材を送込むことができる。」を取得する。
【０１０６】
次に、課題表現取得部１５は、一つ目の文章（ここでは、文章は一つの文）である「・・・・することにより、旋回機構の回動を任意の位置で停止させることができるため、安定した状態で正確な位置に収容部材を送込むことができる。」を取得する。
【０１０７】
次に、形態素解析手段１５１は、上記文を形態素解析し、解析後文章を取得する。次に、係り受け解析手段１５２は、文章または解析後文章に対して、係り受け解析を行い、文章または解析後文章に含まれる各文節がかかる文節の情報を取得する。
【０１０８】
次に、課題手がかり表現候補取得手段１５３は、図６に示す課題手がかり表現群管理表から、１番目の課題手がかり表現「ことにより、」を読み出す。
【０１０９】
次に、課題手がかり表現候補取得手段１５３は、課題手がかり表現「ことにより、」が、文章中に含まれる、と判断する。そして、課題手がかり表現候補取得手段１５３は、課題手がかり表現「ことにより、」（その位置の情報を含む）を、バッファに一時格納する。
【０１１０】
次に、課題手がかり表現候補取得手段１５３は、図６に示す課題手がかり表現群管理表から、２番目の課題手がかり表現「ことができ、」を読み出す。を読み出す。
【０１１１】
次に、課題手がかり表現候補取得手段１５３は、課題手がかり表現「ことができ、」が、文章中に含まれない、と判断する。
【０１１２】
次に、課題手がかり表現候補取得手段１５３は、図６に示す課題手がかり表現群管理表から、３番目の課題手がかり表現「ことができるため、」を読み出す。
【０１１３】
次に、課題手がかり表現候補取得手段１５３は、課題手がかり表現「ことができるため、」が、文章中に含まれる、と判断する。そして、課題手がかり表現候補取得手段１５３は、課題手がかり表現「ことができるため、」（その位置の情報を含む）を、バッファに一時格納する。
【０１１４】
次に、課題手がかり表現候補取得手段１５３は、図６に示す課題手がかり表現群管理表から、４番目の課題手がかり表現「ため、」を読み出す。
【０１１５】
次に、課題手がかり表現候補取得手段１５３は、課題手がかり表現「ため、」が、文章中に含まれる、と判断する。そして、課題手がかり表現候補取得手段１５３は、課題手がかり表現「ため、」（その位置の情報を含む）を、バッファに一時格納する。
【０１１６】
以後、同様に、５番目以降の課題手がかり表現に対して、処理を行う。そして、最終的に、課題手がかり表現候補取得手段１５３は、課題手がかり表現の候補「ことにより、」と「ことができるため、」「ため、」をバッファに一時格納できた。
【０１１７】
次に、課題手がかり表現選択手段１５４は、課題手がかり表現候補取得手段１５３が２以上の課題手がかり表現を取得したので、最も文末の近くに出現する課題手がかり表現を取得する。ここで、課題手がかり表現選択手段１５４は、「ことができるため、」「ため、」を取得する。そして、課題手がかり表現選択手段１５４は、「ことができるため、」「ため、」のうち、最長の文字列の課題手がかり表現「ことができるため、」を取得する。この「ことができるため、」が、最終的な課題手がかり表現である。
【０１１８】
次に、効果表現取得部１６は、効果手がかり表現群格納部１３から、１番目の効果手がかり表現「ことができる。」を読み出す。
【０１１９】
次に、効果手がかり表現候補取得手段１６３は、１番目の効果手がかり表現「ことができる。」が、文章中に含まれるか否かを判断する。「ことができる。」が文章中に含まれるので、効果手がかり表現候補取得手段１６３は、１番目の効果手がかり表現「ことができる。」を、バッファに一時格納する。
【０１２０】
次に、効果表現取得部１６は、効果手がかり表現群格納部１３から、２番目の効果手がかり表現「ことができるようになった。」を読み出す。
【０１２１】
次に、効果手がかり表現候補取得手段１６３は、１番目の効果手がかり表現「ことができる。」が、文章中に含まれない、と判断する。
【０１２２】
そして、効果手がかり表現候補取得手段１６３は、３番目以降の効果手がかり表現に対して、同様の処理を行う。
【０１２３】
そして、効果手がかり表現候補取得手段１６３は、効果手がかり表現「ことができる。」を、バッファに一時格納できた。
【０１２４】
次に、効果表現取得部１６は、バッファ中の効果手がかり表現の中で、文字列が最長の効果手がかり表現（ここでは一つ）である「ことができる。」を、効果手がかり表現として取得できる。
【０１２５】
次に、課題表現候補取得手段１５５は、ポイントｐを、選択した課題手がかり表現「ことができるため、」の先頭に持ってくる。
【０１２６】
次に、課題表現候補取得手段１５５は、ポイントｐを、一つ前の文節「させる」の先頭位置に移動する。
【０１２７】
次に、課題表現候補取得手段１５５は、ポイントｐが存在する文節「させる」について、当該文節が係る文節の情報「ことが」を取得する。
【０１２８】
次に、課題表現候補取得手段１５５は、取得した文節「させる」が係る文節の情報「ことが」から、文節が係る文節は、課題手がかり表現「ことができるため、」より後続の文節でない、と判断する。
【０１２９】
そして、課題表現候補取得手段１５５は、当該文節「させる」を、バッファ中の文節群（ここでは、空）に結合し、文節群「させる」を得る。
【０１３０】
次に、課題表現候補取得手段１５５は、ポイントｐを、一つ前の文節「停止」の先頭位置に移動する。
【０１３１】
次に、課題表現候補取得手段１５５は、ポイントｐが存在する文節「停止」について、当該文節が係る文節の情報「させる」を取得する。
【０１３２】
次に、課題表現候補取得手段１５５は、取得した文節「停止」が係る文節の情報「させる」から、文節が係る文節は、課題手がかり表現「ことができるため、」より後続の文節でない、と判断する。
【０１３３】
そして、課題表現候補取得手段１５５は、当該文節「停止」を、バッファ中の文節群（ここでは、「させる」）に結合し、文節群「停止させる」を得る。
【０１３４】
同様に、課題表現候補取得手段１５５は、ポイントｐを、一つ前の文節に移動させながら、文節が係る文節が、課題手がかり表現「ことができるため、」より後続の文節であるか否かを判断し、後続の文節でなければ、文節を、バッファ中の文節群に結合し、新しい文節群を得る。
【０１３５】
そして、課題表現候補取得手段１５５は、文節「より、」の時に、文節の結合を停止し、「旋回機構の回動を任意の位置で停止させる」を、課題表現候補として取得する。
【０１３６】
次に、課題表現候補取得手段１５５は、取得した課題表現候補「旋回機構の回動を任意の位置で停止させる」に、課題手がかり表現が存在しない、と判断する。そして、課題表現候補取得手段１５５は、最終的な課題表現「旋回機構の回動を任意の位置で停止させる」を得る。
【０１３７】
次に、効果表現取得部１６は、課題手かがり表現「ことができるため、」と、効果手がかり表現「ことができる。」との間の文字列「安定した状態で正確な位置に収容部材を送込む」を、上記文から取得する。
【０１３８】
次に、効果表現取得部１６は、取得した文字列「安定した状態で正確な位置に収容部材を送込む」と、効果手がかり表現「ことができる。」とを結合した表現である効果表現「安定した状態で正確な位置に収容部材を送込むことができる。」を取得する。
【０１３９】
次に、出力部１７は、取得した課題表現から課題情報を構成し、取得した効果表現から効果情報を構成する。そして、出力部１７は、課題情報と効果情報とを出力する。
【０１４０】
同様に、情報出力装置１は、図５の（ｂ）の特許書類に対して、処理を行う。そして、課題表現取得部１５は、課題表現「搬送ベルトと押えベルトのキャリア側ベルトによって段ボールを全体にわたって略均一に挾持する」を取得する。また、効果表現取得部１６は、効果表現「滑りを与えることなく段ボールを確実に牽引することができる。」を得る。
【０１４１】
そして、出力部１７は、取得した課題表現から課題情報を構成し、取得した効果表現から効果情報を構成する。そして、出力部１７は、課題情報と効果情報とを出力する。
【０１４２】
以上の処理により、情報出力装置１は、図８に示す課題情報と効果情報との対の情報を出力する。
【０１４３】
以上、本実施の形態によれば、特許書類から課題情報と効果情報とを適切に抽出できる。具体的には、本実施の形態によれば、課題手がかり表現および効果手がかり表現の２つの手がかり表現を用いて、課題情報および効果情報とを取得できる。かかることは、特許書類の文章の特性を利用したものである。
【０１４４】
また、本実施の形態において、１文の中に課題手がかり表現および効果手がかり表現を含む文から、課題情報と効果情報とを抽出できる。そのため、極めて精度高く、課題情報と効果情報とを抽出できる。
【０１４５】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。また、このソフトウェアまたは、このソフトウェアを記録した記録媒体は、コンピュータプログラム製品として流通しても良いことは言うまでもない。なお、このことは、本明細書における他の実施の形態においても該当する。なお、本実施の形態における情報出力装置を実現するソフトウェアは、以下のようなプログラムである。つまり、このプログラムは、記憶媒体に、特許に関する書類である１以上の特許書類と、課題を示す表現である課題表現を取得するために用いる手がかり句である１以上の課題手がかり表現と、効果を示す表現である効果表現を取得するために用いる手がかり句である１以上の効果手がかり表現とを格納しており、コンピュータを、前記記憶媒体から特許書類を取得し、当該特許書類のうちの予め決められた範囲の文章を取得する文章取得部と、前記文章取得部が取得した文章から、前記記憶媒体のいずれか一の効果手がかり表現の前に出現する効果表現のさらに前に出現する表現であり、かつ前記記憶媒体のいずれか一の課題手がかり表現の前に出現する表現であり、読点より後ろの表現または文頭から後ろの表現を課題表現として取得する課題表現取得部と、前記文章取得部が取得した文章から、前記記憶媒体のいずれか一の効果手がかり表現の前に出現する表現であり、かつ前記記憶媒体のいずれか一の課題手がかり表現の後ろに出現する表現、または、当該表現と効果手がかり表現とを結合した表現を効果表現として取得する効果表現取得部と、前記課題表現取得部が取得した課題表現の全部または一部である課題情報と、前記効果表現取得部が取得した効果表現の全部または一部である効果情報とを対応付けて出力する出力部として機能させるためのプログラム、である。
【０１４６】
また、上記プログラムにおいて、前記文章取得部は、一文である文章を取得するものとして機能させるためのプログラムであることは好適である。
【０１４７】
また、上記プログラムにおいて、前記文章取得部は、前記特許書類のうちの発明の効果に該当する項目内の文章を取得するものとして機能させるためのプログラムであることは好適である。
【０１４８】
また、上記プログラムにおいて、前記課題表現取得部は、前記文章取得部が取得した文章に対して形態素解析を行い、少なくとも文節ごとに区分された前記文章である解析後文章を取得する形態素解析手段と、前記文章または前記解析後文章に対して、係り受け解析を行い、前記文章または前記解析後文章に含まれる各文節がかかる文節の情報を取得する係り受け解析手段と、前記文章または前記解析後文章から、前記記憶媒体に含まれる１以上の課題手がかり表現を取得する課題手がかり表現候補取得手段と、前記課題手がかり表現候補取得手段が２以上の課題手がかり表現を取得した場合、最も文末の近くに出現する課題手がかり表現であり、最長の文字列の課題手がかり表現を取得する課題手がかり表現選択手段と、前記課題手がかり表現候補取得手段が取得した一の課題手がかり表現、または前記課題手がかり表現選択手段が取得した一の課題手がかり表現の直前の文節から、前記解析後文章を、文頭に向かって文節を結合していき、前記一の課題手がかり表現より後続の文節に係る文節の直後までの文節を結合した文字列を課題表現候補として取得する課題表現候補取得手段と、前記課題表現候補にいずれかの課題手がかり表現が含まれるか否かを判断し、課題手がかり表現が含まれる場合は、前記課題表現候補から、前記課題手がかり表現および前記課題手がかり表現より前の文字列を削除し、課題表現を取得し、課題手がかり表現が含まれない場合は、前記課題表現候補を前記課題表現として取得する課題表現取得手段とを具備するものとして機能させるためのプログラムであることは好適である。
【０１４９】
（実施の形態２）
【０１５０】
本実施の形態において、上述した情報出力装置に用いられる課題手がかり表現を取得したり、効果手がかり表現を取得したりする情報蓄積装置について説明する。
【０１５１】
図９、図１０は、本実施の形態における情報蓄積装置２のブロック図である。図１０は、図９の一部の構成要素について、さらに下位の構成要素を記載した図である。なお、図１０において、図１０に出現する構成要素と、図１０に出現しない構成要素との間のデータの移動の線や矢印は、記載していない。
【０１５２】
情報蓄積装置２は、特許書類格納部１１、課題手がかり表現群格納部１２、効果手がかり表現群格納部１３、文章取得部１４、効果名詞取得部２５、効果動詞取得部２６、効果手がかり表現取得部２７、効果手がかり表現蓄積部２８、課題動詞取得部２９、課題手がかり表現取得部３０、課題手がかり表現蓄積部３１、制御部３２を備える。
【０１５３】
効果名詞取得部２５は、効果名詞候補取得手段２５１、効果名詞多様度算出手段２５２、効果名詞取得手段２５３を備える。
【０１５４】
効果動詞取得部２６は、効果動詞候補取得手段２６１、効果動詞多様度算出手段２６２、効果動詞取得手段２６３を備える。
【０１５５】
効果手がかり表現取得部２７は、効果手がかり表現候補取得手段２７１、効果手がかり表現多様度算出手段２７２、効果手がかり表現取得手段２７３を備える。
【０１５６】
課題動詞取得部２９は、効果動詞候補取得手段２６１、課題動詞多様度算出手段２９２、課題動詞取得手段２９３を備える。
【０１５７】
課題手がかり表現取得部３０は、課題手がかり表現候補取得手段３０１、課題手がかり表現多様度算出手段３０２、課題手がかり表現取得手段３０３を備える。
【０１５８】
効果名詞取得部２５は、文章取得部１４が取得した１以上のいずれかの文章から、１以上の効果名詞を取得する。具体的には、効果名詞取得部２５は、１以上のいずれかの文章から、効果手がかり表現を検出し、効果手がかり表現の直前に出現する名詞である１以上の効果名詞を取得する。さらに具体的には、効果名詞取得部２５は、文章取得部１４が取得した１以上のいずれかの文章を形態素解析する。また、効果名詞取得部２５は、効果手がかり表現群格納部１３のうちのいずれかの効果手がかり表現を、前記文章から検出する。そして、効果名詞取得部２５は、検出した効果手がかり表現の前の文節または用語が名詞である場合、当該文節または用語を効果名詞として取得する。また、効果名詞取得部２５は、後述する効果名詞多様度を用いて効果名詞を取得することは好適であるが、効果名詞多様度を用いずに、出現頻度が一定以上の効果名詞を取得したり、効果手がかり表現の直前に出現するすべての名詞を効果名詞として取得したりしても良い。効果名詞取得部２５は、通常、ＭＰＵやメモリ等から実現され得る。効果名詞取得部２５の処理手順は、通常、ソフトウェアで実現され、当該ソフトウェアはＲＯＭ等の記録媒体に記録されている。但し、ハードウェア（専用回路）で実現しても良い。
【０１５９】
効果名詞候補取得手段２５１は、文章取得部１４が取得した１以上のいずれかの文章から、効果手がかり表現を検出し、効果手がかり表現の直前に出現する名詞である１以上の効果名詞候補を取得する。さらに具体的には、効果名詞候補取得手段２５１は、通常、１文ずつ、検査をする。検査とは、以下である。まず、効果名詞候補取得手段２５１は、文を形態素解析する、または形態素解析された結果を取得する。形態素解析の結果、文は、形態素に分割され、かつ形態素ごとの品詞の情報が得られる。次に、効果名詞候補取得手段２５１は、効果手がかり表現群格納部１３のうちのいずれかの効果手がかり表現を、前記文から検出しようとする。そこで、効果手がかり表現を検出できた場合、効果名詞候補取得手段２５１は、当該文の効果手がかり表現の前の形態素または用語の品詞が名詞であるか否かを検査する。名詞であれば、効果名詞候補取得手段２５１は、当該名詞を、効果名詞として取得する。以上の処理を繰り返し、効果名詞候補取得手段２５１は、１以上の効果名詞を取得する。かかる１以上の各効果名詞は、効果名詞の候補である。なお、効果名詞候補取得手段２５１は、文章取得部１４が取得した１以上のいずれかの文章の中に、所定の回数以上出現する効果名詞のみ、効果名詞候補として取得することは好適である。効果名詞候補取得手段２５１は、通常、ＭＰＵやメモリ等から実現され得る。効果名詞候補取得手段２５１の処理手順は、通常、ソフトウェアで実現され、当該ソフトウェアはＲＯＭ等の記録媒体に記録されている。但し、ハードウェア（専用回路）で実現しても良い。
【０１６０】
効果名詞多様度算出手段２５２は、１以上の各効果名詞候補に対して、効果名詞多様度を算出する。効果名詞多様度とは、効果名詞候補が、異なる課題手がかり表現および異なる効果手がかり表現と共起する度合である。異なる課題手がかり表現および異なる効果手がかり表現と一緒に、文章（通常、一文）に出現する効果名詞ほど、効果名詞多様度は大きくなる。
【０１６１】
具体的には、例えば、効果名詞多様度算出手段２５２は、数式１で示される数式により、効果名詞多様度を算出する。効果名詞多様度は、エントロピーをパラメータとする増加関数により算出される。なお、効果名詞多様度は、エントロピーと同じでも良い。ここでは、エントロピーは、Ｈ（ｅｎ）である。効果名詞多様度は、Ｓｃｏｒｅ（ｅｎ）である。なお、かかる場合、効果名詞多様度算出手段２５２は、数式１で示される数式の情報を予め格納している。
【数１】
2011022668.tif 000003
【０１６２】
数式１において、ｅｎは、効果名詞候補である。Ｓは、課題手がかり表現群である。Ｅは、効果手がかり表現群である。また、｜Ｓ｜は、課題手がかり表現群における課題手がかり表現の数である。｜Ｅ｜は、効果手がかり表現群における効果手がかり表現の数である。
【０１６３】
また、数式１において、「Ｐｅｎ（ｅｃ，ｓｃ）」は、効果名詞候補ｅｎが効果手がかり表現ｅｃと課題手がかり表現ｓｃと共起する確率である。ｆｅｎ（ｅｃ，ｓｃ）は、効果名詞候補ｅｎと効果手がかり表現ｅｃと課題手がかり表現ｓｃの共起数である。また、Ｎ（ｅｎ）は、効果名詞候補ｅｎの獲得数である。なお、「Ｐｅｎ（ｅｃ，ｓｃ）」の「Ｐｅｎ」の「ｎ」は、「ｅ」の下付きの文字である。また、「ｆｅｎ（ｅｃ，ｓｃ）」の「ｆｅｎ」の「ｎ」も、「ｅ」の下付きの文字である。
【０１６４】
効果名詞多様度算出手段２５２は、通常、ＭＰＵやメモリ等から実現され得る。効果名詞多様度算出手段２５２の処理手順は、通常、ソフトウェアで実現され、当該ソフトウェアはＲＯＭ等の記録媒体に記録されている。但し、ハードウェア（専用回路）で実現しても良い。
【０１６５】
効果名詞取得手段２５３は、効果名詞多様度が予め決められた閾値より大きいまたは閾値以上である場合に、効果名詞候補を効果名詞として取得する。なお、閾値は、例えば、０．５である。
【０１６６】
効果名詞取得手段２５３は、通常、ＭＰＵやメモリ等から実現され得る。効果名詞取得手段２５３の処理手順は、通常、ソフトウェアで実現され、当該ソフトウェアはＲＯＭ等の記録媒体に記録されている。但し、ハードウェア（専用回路）で実現しても良い。
【０１６７】
効果動詞取得部２６は、文章取得部１４が取得した１以上のいずれかの文章から、１以上の効果動詞を取得する。具体的には、効果動詞取得部２６は、１以上のいずれかの文章から、効果手がかり表現を検出し、効果手がかり表現の前に出現する文字列であり、効果手がかり表現に最も近い格助詞までの文字列である１以上の効果動詞を取得する。さらに具体的には、効果動詞取得部２６は、文章取得部１４が取得した１以上のいずれかの文章を形態素解析する、または形態素解析した結果を取得する。また、効果名詞取得部２５は、効果手がかり表現群格納部１３のうちのいずれかの効果手がかり表現を、前記文章から検出する。そして、効果動詞取得部２６は、検出した効果手がかり表現の前の文節が格助詞にいきつくまで、次々と前の文節を取得し、前の文節を結合していく。そして、効果動詞取得部２６は、格助詞までの文字列を効果動詞として取得する。また、効果動詞取得部２６は、後述する効果動詞多様度を用いて効果動詞を取得することは好適であるが、効果動詞多様度を用いずに、出現頻度が一定以上の効果動詞を取得したり、上記のアルゴリズムで取得できるすべての文字列を効果動詞として取得したりしても良い。
【０１６８】
効果動詞取得部２６は、通常、ＭＰＵやメモリ等から実現され得る。効果動詞取得部２６の処理手順は、通常、ソフトウェアで実現され、当該ソフトウェアはＲＯＭ等の記録媒体に記録されている。但し、ハードウェア（専用回路）で実現しても良い。
【０１６９】
効果動詞候補取得手段２６１は、文章取得部１４が取得した１以上のいずれかの文章から、効果手がかり表現を検出し、効果手がかり表現の前に出現する文字列であり、効果手がかり表現に最も近い格助詞までの文字列である１以上の効果動詞候補を取得する。さらに具体的には、効果動詞候補取得手段２６１は、通常、１文ずつ、検査をする。検査とは、以下である。まず、効果動詞候補取得手段２６１は、文を形態素解析する、または形態素解析された結果を取得する。次に、効果動詞候補取得手段２６１は、効果手がかり表現群格納部１３のうちのいずれかの効果手がかり表現を、前記文から検出しようとする。そこで、効果手がかり表現を検出できた場合、効果動詞候補取得手段２６１は、効果手がかり表現の前に出現する文字列であり、格助詞に突き当たりまで、検査するポイントを進めていきつつ、形態素を結合していく。そして、効果動詞候補取得手段２６１が格助詞を見つけた段階で、形態素の結合を完了し、残った文字列を効果動詞候補として取得する。かかる１以上の各効果動詞は、効果動詞の候補である。なお、効果動詞候補取得手段２６１は、文章取得部１４が取得した１以上のいずれかの文章の中に、所定の回数以上出現する効果動詞のみ、効果動詞候補として取得することは好適である。
【０１７０】
効果動詞候補取得手段２６１は、通常、ＭＰＵやメモリ等から実現され得る。効果動詞候補取得手段２６１の処理手順は、通常、ソフトウェアで実現され、当該ソフトウェアはＲＯＭ等の記録媒体に記録されている。但し、ハードウェア（専用回路）で実現しても良い。
【０１７１】
効果動詞多様度算出手段２６２は、１以上の各効果動詞候補に対して、効果動詞多様度を算出する。効果動詞多様度とは、効果動詞候補が、異なる課題手がかり表現および異なる効果手がかり表現と共起する度合である。異なる課題手がかり表現および異なる効果手がかり表現と一緒に、文章（通常、一文）に出現する効果動詞ほど、効果動詞多様度は大きくなる。
【０１７２】
具体的には、例えば、効果動詞多様度算出手段２６２は、数式２で示される数式により、効果動詞多様度を算出する。効果動詞多様度は、エントロピーをパラメータとする増加関数により算出される。なお、効果動詞多様度は、エントロピーと同じでも良い。ここでは、エントロピーは、Ｈ（ｅｖ）である。効果動詞多様度は、Ｓｃｏｒｅ（ｅｖ）である。なお、かかる場合、効果動詞多様度算出手段２６２は、数式２で示される数式の情報を予め格納している。
【数２】
2011022668.tif 000004
【０１７３】
数式２において、ｅｖは、効果動詞候補である。また、数式２において、「Ｐｅｖ（ｅｃ，ｓｃ）」は、効果動詞候補ｅｖが効果手がかり表現ｅｃと課題手がかり表現ｓｃと共起する確率である。また、ｆev（ｅｃ，ｓc）は、効果動詞候補ｅｖと課題手がかり表現候補ｓｃと効果手がかり表現ｅｃの共起数である。Ｎ（ｅｖ）は、効果動詞候補ｅｖの獲得数である。なお、「Ｐｅｖ（ｅｃ，ｓｃ）」の「Ｐｅｖ」の「ｖ」は、「ｅ」の下付きの文字である。また、「ｆev（ｅｃ，ｓc）」の「ｆev」の「ｖ」も、「ｅ」の下付きの文字である。
【０１７４】
効果動詞多様度算出手段２６２は、通常、ＭＰＵやメモリ等から実現され得る。効果動詞多様度算出手段２６２の処理手順は、通常、ソフトウェアで実現され、当該ソフトウェアはＲＯＭ等の記録媒体に記録されている。但し、ハードウェア（専用回路）で実現しても良い。
【０１７５】
効果動詞取得手段２６３は、効果動詞多様度が予め決められた閾値より大きいまたは閾値以上である場合に、効果動詞候補を効果動詞として取得する。なお、閾値は、例えば、０．６である。
【０１７６】
効果動詞取得手段２６３は、通常、ＭＰＵやメモリ等から実現され得る。効果動詞取得手段２６３の処理手順は、通常、ソフトウェアで実現され、当該ソフトウェアはＲＯＭ等の記録媒体に記録されている。但し、ハードウェア（専用回路）で実現しても良い。
【０１７７】
効果手がかり表現取得部２７は、文章取得部１４が取得した１以上のいずれかの文章から、１以上の効果手がかり表現を取得する。具体的には、効果手がかり表現取得部２７は、１以上のいずれかの文章から、１以上のいずれかの課題手がかり表現の後ろに存在し、かつ１以上のいずれかの効果動詞の直後に存在する文字列であり、句点までの文字列を効果手がかり表現として取得する。また、効果手がかり表現取得部２７は、文章取得部１４が取得した１以上のいずれかの文章から、１以上のいずれかの課題手がかり表現の後ろに存在し、かつ１以上のいずれかの効果名詞の直後に存在する文字列であり、句点までの文字列を効果手がかり表現として取得しても良い。また、「句点までの文字列」とは、句点を含んでも含まなくても良い趣旨である。また、効果手がかり表現取得部２７は、後述する効果手がかり表現多様度を用いて効果手がかり表現を取得することは好適であるが、効果手がかり表現多様度を用いずに、出現頻度が一定以上の効果手がかり表現を取得したり、上記のアルゴリズムで取得できるすべての効果手がかり表現を取得したりしても良い。
【０１７８】
効果手がかり表現取得部２７は、通常、ＭＰＵやメモリ等から実現され得る。効果手がかり表現取得部２７の処理手順は、通常、ソフトウェアで実現され、当該ソフトウェアはＲＯＭ等の記録媒体に記録されている。但し、ハードウェア（専用回路）で実現しても良い。
【０１７９】
効果手がかり表現候補取得手段２７１は、文章取得部１４が取得した１以上のいずれかの文章から、１以上のいずれかの課題手がかり表現の後ろに存在し、かつ１以上のいずれかの効果動詞の直後に存在する文字列であり、句点までの文字列を効果手がかり表現候補として取得する。さらに具体的には、効果手がかり表現候補取得手段２７１は、通常、１文ずつ、検査をする。検査とは、以下である。まず、効果手がかり表現候補取得手段２７１は、文を形態素解析する、または形態素解析された結果を取得する。次に、効果手がかり表現候補取得手段２７１は、課題手がかり表現群格納部１２のうちのいずれかの課題手がかり表現を、前記文から検出しようとする。そこで、課題手がかり表現を検出できた場合、効果手がかり表現候補取得手段２７１は、課題手がかり表現の後ろを検査し、１以上のいずれかの効果動詞が存在するか否かを検査する。効果動詞が存在すれば、句点を探しにいき、句点までの文字列を、効果手がかり表現候補として取得する。ここで、「句点までの文字列」とは、句点を含んでも含まなくても良い。なお、効果手がかり表現候補取得手段２７１は、文章取得部１４が取得した１以上のいずれかの文章の中に、所定の回数以上出現する効果手がかり表現のみ、効果手がかり表現候補として取得することは好適である。
【０１８０】
効果手がかり表現候補取得手段２７１は、通常、ＭＰＵやメモリ等から実現され得る。効果手がかり表現候補取得手段２７１の処理手順は、通常、ソフトウェアで実現され、当該ソフトウェアはＲＯＭ等の記録媒体に記録されている。但し、ハードウェア（専用回路）で実現しても良い。
【０１８１】
効果手がかり表現多様度算出手段２７２は、１以上の各効果手がかり表現候補に対して、効果手がかり表現多様度を算出する。効果手がかり表現多様度とは、効果手がかり表現候補が、異なる効果動詞または効果名詞、および異なる課題手がかり表現と共起する度合である。異なる効果動詞または効果名詞、および異なる効果手がかり表現と一緒に、文章（通常、一文）に出現する効果手がかり表現ほど、効果手がかり表現多様度は大きくなる。
【０１８２】
具体的には、例えば、効果手がかり表現多様度算出手段２７２は、数式３で示される数式により、「こと型」の効果手がかり表現多様度を算出する。「こと型」の効果手がかり表現多様度は、エントロピーをパラメータとする増加関数により算出される。なお、効果手がかり表現多様度は、エントロピーと同じでも良い。ここでは、エントロピーは、Ｈ（Ｅｖｃ）である。効果手がかり表現多様度は、Ｓｃｏｒｅ（ｅｖｃ）である。なお、かかる場合、効果手がかり表現多様度算出手段２７２は、数式３で示される数式の情報を予め格納している。
【数３】
2011022668.tif 000005
【０１８３】
数式３において、Ｅｖは、効果動詞の集合である。Ｐｅｃ（ｅｖ，ｓｃ）は、効果手がかり表現候補ｅｃが効果動詞ｅｖと課題手がかり表現ｓｃと共起する確率である。また、ｆｅｃ（ｅｖ，ｓｃ）は、効果手がかり表現候補ｅｃと効果動詞ｅｖと課題手がかり表現ｓｃとの共起数である。Ｎ（ｅｃ）は、効果手がかり表現候補ｅｃの獲得数である。なお、「Ｐｅｃ（ｅｖ，ｓｃ）」の「Ｐｅｃ」の「ｃ」は、「ｅ」の下付きの文字である。また、「ｆｅｃ（ｅｖ，ｓｃ）」の「ｆｅｃ」の「ｃ」も、「ｅ」の下付きの文字である。
【０１８４】
また、具体的には、例えば、効果手がかり表現多様度算出手段２７２は、数式４で示される数式により、「動詞型」の効果手がかり表現多様度を算出する。「動詞型」の効果手がかり表現多様度は、エントロピーをパラメータとする増加関数により算出される。なお、効果手がかり表現多様度は、エントロピーと同じでも良い。ここでは、エントロピーは、Ｈ（ｅｖｃ）である。効果手がかり表現多様度は、Ｓｃｏｒｅ（ｅｖｃ）である。なお、かかる場合、効果手がかり表現多様度算出手段２７２は、数式３で示される数式の情報を予め格納している。
【数４】
2011022668.tif 000006
【０１８５】
数式４において、ｅｎは、効果名詞の集合である。また、ｍａｘＨ（ｅｖｃ）は、すべてのエントロピーの中で最大のものである。また、Ｐｅｖｃ（ｅｎ，ｓｃ）は、効果手がかり表現候補ｅｖｃが効果名詞ｅｎと課題手がかり表現ｓｃと共起する確率である。また、ｆｅｖｃ（ｅｎ，ｓｃ）は、効果手がかり表現候補ｅｖｃと効果名詞ｅｎと課題手がかり表現ｓｃの共起数である。Ｎ（ｅｖｃ）は、効果手がかり表現候補ｅｖｃの獲得数である。なお、「Ｐｅｖｃ（ｅｎ，ｓｃ）」の「Ｐｅｖｃ」の「ｖｃ」は、「ｅ」の下付きの文字である。
【０１８６】
ここで、「動詞型」効果手がかり表現を獲得する場合においてのみ、スコアの正規化方法を候補の中でエントロピーの値が最大のもので割るようにしている。これは、「こと型」とは違い、「名詞＋動詞」は決まった形で出てくることが多いので、これに対応するため、数式４のような算出式で多様度を計算する。例えば、「コスト＋を削減する」は出現するが、「コスト＋を小型化する」は出現しない。
【０１８７】
効果手がかり表現多様度算出手段２７２は、通常、ＭＰＵやメモリ等から実現され得る。効果手がかり表現多様度算出手段２７２の処理手順は、通常、ソフトウェアで実現され、当該ソフトウェアはＲＯＭ等の記録媒体に記録されている。但し、ハードウェア（専用回路）で実現しても良い。
【０１８８】
効果手がかり表現取得手段２７３は、効果手がかり表現多様度が予め決められた閾値より大きいまたは閾値以上である場合に、効果手がかり表現候補を効果手がかり表現として取得する。なお、閾値は、例えば、０．５である。
【０１８９】
効果手がかり表現取得手段２７３は、通常、ＭＰＵやメモリ等から実現され得る。効果手がかり表現取得手段２７３の処理手順は、通常、ソフトウェアで実現され、当該ソフトウェアはＲＯＭ等の記録媒体に記録されている。但し、ハードウェア（専用回路）で実現しても良い。
【０１９０】
効果手がかり表現蓄積部２８は、効果手がかり表現取得部２７が取得した効果手がかり表現を、効果手がかり表現群格納部１３に蓄積する。
【０１９１】
効果手がかり表現蓄積部２８は、通常、ＭＰＵやメモリ等から実現され得る。効果手がかり表現蓄積部２８の処理手順は、通常、ソフトウェアで実現され、当該ソフトウェアはＲＯＭ等の記録媒体に記録されている。但し、ハードウェア（専用回路）で実現しても良い。
【０１９２】
課題動詞取得部２９は、文章取得部１４が取得した１以上のいずれかの文章から、１以上の課題動詞を取得する。具体的には、課題動詞取得部２９は、１以上のいずれかの文章から、課題手がかり表現を検出し、課題手がかり表現の前に出現する文字列であり、課題手がかり表現に最も近い格助詞までの文字列である１以上の課題動詞を取得する。「格助詞までの文字列」とは、格助詞が含まれても含まれなくても良い。さらに具体的には、課題動詞取得部２９は、文章取得部１４が取得した１以上のいずれかの文章を形態素解析する、または形態素解析した結果を取得する。また、課題動詞取得部２９は、課題手がかり表現群格納部１２のうちのいずれかの課題手がかり表現を、前記文章から検出する。そして、課題動詞取得部２９は、検出した課題手がかり表現の前の文節が格助詞にいきつくまで、次々と前の文節を取得し、前の文節を結合していく。そして、課題動詞取得部２９は、格助詞までの文字列を課題動詞として取得する。また、課題動詞取得部２９は、後述する課題動詞多様度を用いて課題動詞を取得することは好適であるが、課題動詞多様度を用いずに、出現頻度が一定以上の課題動詞を取得したり、上記のアルゴリズムで取得できるすべての文字列を課題動詞として取得したりしても良い。
【０１９３】
課題動詞取得部２９は、通常、ＭＰＵやメモリ等から実現され得る。課題動詞取得部２９の処理手順は、通常、ソフトウェアで実現され、当該ソフトウェアはＲＯＭ等の記録媒体に記録されている。但し、ハードウェア（専用回路）で実現しても良い。
【０１９４】
効果動詞候補取得手段２６１は、文章取得部１４が取得した１以上のいずれかの文章から、課題手がかり表現を検出し、課題手がかり表現の前に出現する文字列であり、課題手がかり表現に最も近い格助詞までの文字列である１以上の課題動詞候補を取得する。さらに具体的には、効果動詞候補取得手段２６１は、通常、１文ずつ、検査をする。検査とは、以下である。まず、効果動詞候補取得手段２６１は、文を形態素解析する、または形態素解析された結果を取得する。次に、効果動詞候補取得手段２６１は、課題手がかり表現群格納部１２のうちのいずれかの課題手がかり表現を、前記文から検出しようとする。そこで、課題手がかり表現を検出できた場合、効果動詞候補取得手段２６１は、課題手がかり表現の前に出現する文字列であり、格助詞に突き当たりまで、検査するポイントを進めていきつつ、形態素を結合していく。そして、効果動詞候補取得手段２６１が格助詞を見つけた段階で、形態素の結合を完了し、残った文字列を課題動詞候補として取得する。かかる１以上の各課題動詞は、課題動詞の候補である。なお、効果動詞候補取得手段２６１は、文章取得部１４が取得した１以上のいずれかの文章の中に、所定の回数以上出現する課題動詞のみ、課題動詞候補として取得することは好適である。
【０１９５】
効果動詞候補取得手段２６１は、通常、ＭＰＵやメモリ等から実現され得る。効果動詞候補取得手段２６１の処理手順は、通常、ソフトウェアで実現され、当該ソフトウェアはＲＯＭ等の記録媒体に記録されている。但し、ハードウェア（専用回路）で実現しても良い。
【０１９６】
課題動詞多様度算出手段２９２は、１以上の各課題動詞候補に対して、課題動詞多様度を算出する。課題動詞多様度とは、各課題動詞候補が、異なる課題手がかり表現および異なる効果手がかり表現と共起する度合である。異なる課題手がかり表現および異なる効果手がかり表現と一緒に、文章（通常、一文）に出現する課題動詞ほど、課題動詞多様度は大きくなる。
【０１９７】
具体的には、例えば、課題動詞多様度算出手段２９２は、数式５で示される数式により、課題動詞多様度を算出する。課題動詞多様度は、エントロピーをパラメータとする増加関数により算出される。なお、課題動詞多様度は、エントロピーと同じでも良い。ここでは、エントロピーは、Ｈ（Ｓｖ）である。課題動詞多様度は、Ｓｃｏｒｅ（ｓｖ）である。なお、かかる場合、課題動詞多様度算出手段２９２は、数式５で示される数式の情報を予め格納している。
【数５】
2011022668.tif 000007
【０１９８】
数式５において、Ｓｖは、課題動詞候補である。また、数式５において、「ＰＳｖ（ｅｃ，ｓｃ）」は、課題動詞候補Ｓｖが効果手がかり表現ｅｃと課題手がかり表現ｓｃと共起する確率である。そして、ｆｓｖ（ｅｃ，ｓｃ）は、課題動詞候補ｓｖと効果手がかり表現ｅｃと課題手がかり表現ｓｃの共起数である。また、Ｎ（ｓｖ）は、課題動詞候補ｓｖの獲得数である。
【０１９９】
課題動詞多様度算出手段２９２は、通常、ＭＰＵやメモリ等から実現され得る。課題動詞多様度算出手段２９２の処理手順は、通常、ソフトウェアで実現され、当該ソフトウェアはＲＯＭ等の記録媒体に記録されている。但し、ハードウェア（専用回路）で実現しても良い。
【０２００】
課題動詞取得手段２９３は、課題動詞多様度が予め決められた閾値より大きいまたは閾値以上である場合に、課題動詞候補を課題動詞として取得する。なお、閾値は、例えば、０．４である。
【０２０１】
課題動詞取得手段２９３は、通常、ＭＰＵやメモリ等から実現され得る。課題動詞取得手段２９３の処理手順は、通常、ソフトウェアで実現され、当該ソフトウェアはＲＯＭ等の記録媒体に記録されている。但し、ハードウェア（専用回路）で実現しても良い。
【０２０２】
課題手がかり表現取得部３０は、文章取得部１４が取得した１以上のいずれかの文章から、１以上の課題手がかり表現を取得する。具体的には、課題手がかり表現取得部３０は、１以上のいずれかの文章から、１以上のいずれかの効果手がかり表現の前に存在し、かつ１以上のいずれかの課題動詞の直後に存在する文字列であり、読点までの文字列を課題手がかり表現として取得する。また、「読点までの文字列」とは、読点を含んでも含まなくても良い。また、課題手がかり表現取得部３０は、後述する課題手がかり表現多様度を用いて課題手がかり表現を取得することは好適であるが、課題手がかり表現多様度を用いずに、出現頻度が一定以上の課題手がかり表現を取得したり、上記のアルゴリズムで取得できるすべての課題手がかり表現を取得したりしても良い。
【０２０３】
課題手がかり表現取得部３０は、通常、ＭＰＵやメモリ等から実現され得る。課題手がかり表現取得部３０の処理手順は、通常、ソフトウェアで実現され、当該ソフトウェアはＲＯＭ等の記録媒体に記録されている。但し、ハードウェア（専用回路）で実現しても良い。
【０２０４】
課題手がかり表現候補取得手段３０１は、文章取得部１４が取得した１以上のいずれかの文章から、１以上のいずれかの効果手がかり表現の前に存在し、かつ１以上のいずれかの課題動詞の直後に存在する文字列であり、読点までの文字列を課題手がかり表現候補として取得する。さらに具体的には、課題手がかり表現候補取得手段３０１は、通常、１文ずつ、検査をする。検査とは、以下である。まず、課題手がかり表現候補取得手段３０１は、文を形態素解析する、または形態素解析された結果を取得する。次に、課題手がかり表現候補取得手段３０１は、効果手がかり表現群格納部１３のうちのいずれかの効果手がかり表現を、前記文から検出しようとする。そこで、効果手がかり表現を検出できた場合、課題手がかり表現候補取得手段３０１は、効果手がかり表現の前を検査し、１以上のいずれかの課題動詞が存在するか否かを検査する。課題動詞が存在すれば、その直後の文字以降であり、読点までの文字を、課題手がかり表現として取得する。「読点までの文字」とは、読点を含んでも含まなくても良い。なお、課題手がかり表現候補取得手段３０１は、文章取得部１４が取得した１以上のいずれかの文章の中に、所定の回数以上出現する課題手がかり表現のみ、課題手がかり表現候補として取得することは好適である。また、課題手がかり表現候補取得手段３０１は、取得した課題手がかり表現候補が、所定の語を含むか否かを判断し、所定の語を含む場合は、課題手がかり表現候補からはずすことは好適である。なお、所定の語は、除外用語である。除外用語とは、課題表現と効果表現との関係が成立しない場合がある課題手がかり表現に含まれる用語である。除外用語として、例えば、「ともに」「共に」「とき」「時」「場合」「際」「なく」「無く」「ない」「こと、」「だけ」「と、」「一方、」「など、」「前に、」などである。
【０２０５】
課題手がかり表現候補取得手段３０１は、通常、ＭＰＵやメモリ等から実現され得る。課題手がかり表現候補取得手段３０１の処理手順は、通常、ソフトウェアで実現され、当該ソフトウェアはＲＯＭ等の記録媒体に記録されている。但し、ハードウェア（専用回路）で実現しても良い。
【０２０６】
課題手がかり表現多様度算出手段３０２は、１以上の各課題手がかり表現候補に対して、課題手がかり表現多様度を算出する。課題手がかり表現多様度とは、各課題手がかり表現候補が、異なる課題動詞および異なる効果手がかり表現と共起する度合である。異なる課題動詞および異なる効果手がかり表現と一緒に、文章（通常、一文）に出現する課題手がかり表現ほど、課題手がかり表現多様度は大きくなる。
【０２０７】
具体的には、例えば、課題手がかり表現多様度算出手段３０２は、数式６で示される数式により、課題手がかり表現多様度を算出する。課題手がかり表現多様度は、エントロピーをパラメータとする増加関数により算出される。なお、課題手がかり表現多様度は、エントロピーと同じでも良い。ここでは、エントロピーは、Ｈ（ｓｃ）である。課題手がかり表現多様度は、Ｓｃｏｒｅ（ｓｃ）である。なお、かかる場合、課題手がかり表現多様度算出手段３０２は、数式６で示される数式の情報を予め格納している。
【数６】
2011022668.tif 000008
【０２０８】
数式６において、ｓｃは、課題手がかり表現候補である。Ｓｖは、課題動詞の集合である。Ｅは、効果手がかり表現の集合である。｜Ｓｖ｜は、課題動詞の数である。｜Ｅ｜は、効果手がかり表現の数である。Ｐｓｃ（ｅｃ，ｓｖ）は、課題手がかり表現候補ｓｃが効果手がかり表現ｅｃと課題動詞ｓｖと共起する確率である。ｆｓｃ（ｅｃ，ｓｖ）は、課題手がかり表現候補ｓｃと課題動詞ｓｖと効果手がかり表現ｅｃの共起数である。また、Ｎ（ｓｃ）は課題手がかり表現候補ｓｃの獲得数である。なお、「ｆｓｃ（ｅｃ，ｓｖ）」の「ｆｓｃ」の「ｃ」は、「ｓ」の下付きの文字である。
【０２０９】
課題手がかり表現多様度算出手段３０２は、通常、ＭＰＵやメモリ等から実現され得る。課題手がかり表現多様度算出手段３０２の処理手順は、通常、ソフトウェアで実現され、当該ソフトウェアはＲＯＭ等の記録媒体に記録されている。但し、ハードウェア（専用回路）で実現しても良い。
【０２１０】
課題手がかり表現取得手段３０３は、課題手がかり表現多様度が予め決められた閾値より大きいまたは閾値以上である場合に、課題手がかり表現候補を課題手がかり表現として取得する。なお、閾値は、例えば、０．５である。
【０２１１】
課題手がかり表現取得手段３０３は、通常、ＭＰＵやメモリ等から実現され得る。課題手がかり表現取得手段３０３の処理手順は、通常、ソフトウェアで実現され、当該ソフトウェアはＲＯＭ等の記録媒体に記録されている。但し、ハードウェア（専用回路）で実現しても良い。
【０２１２】
課題手がかり表現蓄積部３１は、課題手がかり表現を、課題手がかり表現群格納部１２に蓄積する。
【０２１３】
課題手がかり表現蓄積部３１は、通常、ＭＰＵやメモリ等から実現され得る。課題手がかり表現蓄積部３１の処理手順は、通常、ソフトウェアで実現され、当該ソフトウェアはＲＯＭ等の記録媒体に記録されている。但し、ハードウェア（専用回路）で実現しても良い。
【０２１４】
制御部３２は、課題手がかり表現蓄積部３１が蓄積した課題手がかり表現をも用いて、課題動詞取得部２９の処理、課題手がかり表現取得部３０の処理、および課題手がかり表現蓄積部３１の処理を、予め決められた回数だけ実行させる。ここで、実行させるとは、課題動詞取得部２９、課題手がかり表現取得部３０、および課題手がかり表現蓄積部３１に動作するように指示を出す等のことである。
【０２１５】
また、制御部３２は、効果手がかり表現蓄積部２８が蓄積した効果手がかり表現をも用いて、効果動詞取得部２６の処理、効果手がかり表現取得部２７の処理、および効果手がかり表現蓄積部２８の処理を、予め決められた回数だけ実行させても良い。ここで、実行させるとは、効果動詞取得部２６、効果手がかり表現取得部２７、および効果手がかり表現蓄積部２８に動作するように指示を出す等のことである。
【０２１６】
さらに、制御部３２は、効果手がかり表現蓄積部２８が蓄積した効果手がかり表現をも用いて、効果名詞取得部２５の処理、効果手がかり表現取得部２７の処理、および効果手がかり表現蓄積部２８の処理を、予め決められた回数だけ実行させても良い。ここで、実行させるとは、効果名詞取得部２５、効果手がかり表現取得部２７、および効果手がかり表現蓄積部２８に動作するように指示を出す等のことである。
【０２１７】
つまり、制御部は、情報蓄積装置２が課題手がかり表現や効果手がかり表現を取得するための処理を繰り返し行うように制御する。
【０２１８】
制御部３２は、通常、ＭＰＵやメモリ等から実現され得る。制御部３２の処理手順は、通常、ソフトウェアで実現され、当該ソフトウェアはＲＯＭ等の記録媒体に記録されている。但し、ハードウェア（専用回路）で実現しても良い。
【０２１９】
次に、情報蓄積装置２の動作について、図１１のフローチャートを用いて説明する。
【０２２０】
（ステップＳ１１０１）制御部３２は、カウンタｉに１を代入する。
【０２２１】
（ステップＳ１１０２）制御部３２は、予め決められた回数（Ｎ）読み出し、「ｉ＜＝Ｎ」であるか否かを判断する。「ｉ＜＝Ｎ」であればステップＳ１１０３に行き、「ｉ＜＝Ｎ」でなければ処理を修了する。なお、制御部３２は、ループ回数（Ｎ）を予め保持している。また、Ｎは、１以上の整数である。さらに、Ｎは、２以上であることが好ましい。
【０２２２】
（ステップＳ１１０３）制御部３２は、課題動詞取得部２９に、課題動詞を取得する指示を行う。そして、課題動詞取得部２９は、課題動詞取得処理を行う。課題動詞取得処理について、図１２のフローチャートを用いて説明する。
【０２２３】
（ステップＳ１１０４）制御部３２は、効果動詞取得部２６に、効果動詞を取得する指示を行う。そして、効果動詞取得部２６は、効果動詞取得処理を行う。効果動詞取得処理について、図１３のフローチャートを用いて説明する。
【０２２４】
（ステップＳ１１０５）制御部３２は、効果名詞取得部２５に、効果名詞を取得する指示を行う。そして、効果名詞取得部２５は、効果名詞取得処理を行う。課題動詞取得処理について、図１４のフローチャートを用いて説明する。
【０２２５】
（ステップＳ１１０６）制御部３２は、課題手がかり表現取得部３０に、課題手がかり表現を取得する指示を行う。そして、課題手がかり表現取得部３０は、課題手がかり表現取得処理を行う。課題手がかり表現取得処理について、図１５のフローチャートを用いて説明する。
【０２２６】
（ステップＳ１１０７）制御部３２は、効果手がかり表現取得部２７に、効果手がかり表現を取得する指示を行う。そして、効果手がかり表現取得部２７は、効果手がかり表現取得処理を行う。効果手がかり表現取得処理について、図１６、１７のフローチャートを用いて説明する。
【０２２７】
（ステップＳ１１０８）制御部３２は、カウンタｉを１、インクリメントする。ステップＳ１１０２に戻る。
【０２２８】
なお、図１１のフローチャートにおいて、ステップＳ１１０３からステップＳ１１０７の処理がループしたが、ループせず、１度だけでも良い。
【０２２９】
次に、ステップＳ１１０３の課題動詞取得処理について、図１２のフローチャートを用いて説明する。
【０２３０】
（ステップＳ１２０１）文章取得部１４は、カウンタｉに１を代入する。
【０２３１】
（ステップＳ１２０２）文章取得部１４は、特許書類格納部１１にｉ番目の特許書類が存在するか否かを判断する。ｉ番目の特許書類が存在すればステップＳ１２０３に行き、ｉ番目の特許書類が存在しなければステップＳ１２１３に行く。
【０２３２】
（ステップＳ１２０３）文章取得部１４は、ｉ番目の特許書類を、特許書類格納部１１から読み出す。
【０２３３】
（ステップＳ１２０４）文章取得部１４は、ｉ番目の特許書類のうちの、予め決められた範囲（例えば、［発明の効果］）の１以上の文章を取得する。
【０２３４】
（ステップＳ１２０５）課題動詞取得部２９は、カウンタｊに１を代入する。
【０２３５】
（ステップＳ１２０６）課題動詞取得部２９は、ステップＳ１２０４で取得した文章の中にｊ番目の文章が存在するか否かを判断する。ｊ番目の文章が存在すればステップＳ１２０７に行き、ｊ番目の文章が存在しなければステップＳ１２１２に行く。なお、文章は、１文であることが好適であるが、１段落や、所定数（２以上）の文等でも良い。
【０２３６】
（ステップＳ１２０７）課題動詞候補取得手段２９１は、ｊ番目の文章の中を検査し、課題手がかり表現を検出する。さらに具体的には、効果動詞候補取得手段２６１は、課題手がかり表現群格納部１２の課題手がかり表現を順に読み込み、ｊ番目の文章の中に、課題手がかり表現が存在するか否か、課題手がかり表現が見つかるまで、または、課題手がかり表現群格納部１２のすべての課題手がかり表現を検査するまで処理を行う。
【０２３７】
（ステップＳ１２０８）効果動詞候補取得手段２６１は、ステップＳ１２０７で、課題手がかり表現を検出できたか否かを判断する。検出できればステップＳ１２０９に行き、検出できなければステップＳ１２１１に行く。
【０２３８】
（ステップＳ１２０９）効果動詞候補取得手段２６１は、ｊ番目の文章から、課題手がかり表現の前に出現する文字列であり、課題手がかり表現に最も近い格助詞までの文字列を取得する。つまり、効果動詞候補取得手段２６１は、ｊ番目の文章中の課題手がかり表現の先頭の位置から、前方向に格助詞が現れるまで、文字を結合していき、格助詞までの文字列を、課題動詞候補として取得する。
【０２３９】
（ステップＳ１２１０）効果動詞候補取得手段２６１は、ステップＳ１２０９で取得した課題動詞候補を、図示しないバッファに一時格納する。ここでの格納は、追記である。
【０２４０】
（ステップＳ１２１１）課題動詞取得部２９は、カウンタｊを１、インクリメントする。ステップＳ１１０６に戻る。
【０２４１】
（ステップＳ１２１２）課題動詞取得部２９は、カウンタｉを１、インクリメントする。ステップＳ１１０２に戻る。
【０２４２】
（ステップＳ１２１３）効果動詞候補取得手段２６１は、所定回数（例えば、「５」）以上検出された課題動詞候補のみを取得する。具体的には、効果動詞候補取得手段２６１は、バッファに一時格納されている課題動詞候補をソートし、各課題動詞候補の出現回数を取得する。そして、効果動詞候補取得手段２６１は、所定回数以上検出された課題動詞候補のみを取得する。なお、所定回数以上とは、所定回数より多い、を含んでいる概念である、と考える。また、所定回数以上とは、所定割合（全体の課題動詞候補数の中の出現回数）以上、所定割合より多い、出現回数が上位Ｍ（Ｍは自然数）以内等も含む概念である、とする。
【０２４３】
（ステップＳ１２１４）課題動詞多様度算出手段２９２は、カウンタｉに１を代入する。
【０２４４】
（ステップＳ１２１５）課題動詞多様度算出手段２９２は、ステップＳ１２１３で取得された課題動詞候補の中に、ｉ番目の課題動詞候補が存在するか否かを判断する。ｉ番目の課題動詞候補が存在すればステップＳ１２１６に行き、ｉ番目の課題動詞候補が存在しなければ上位処理にリターンする。
【０２４５】
（ステップＳ１２１６）課題動詞多様度算出手段２９２は、課題動詞多様度を算出するための算出式を読み込む。算出式は、例えば、数式４である。
【０２４６】
（ステップＳ１２１７）課題動詞多様度算出手段２９２は、ステップＳ１２１５で読み込んだ算出式に、必要な値を代入し、課題動詞多様度を算出する。なお、算出式が数式５である場合、課題動詞多様度算出手段２９２は、事前に、｜Ｓ｜、｜Ｅ｜を取得する。また、課題動詞多様度算出手段２９２は、すべての効果手がかり表現ｅｃとすべての課題手がかり表現ｓｃに対して、「ＰＳｖ（ｅｃ，ｓｃ）」を算出する。そして、課題動詞多様度算出手段２９２は、エントロピーＨ（Ｓｖ）を算出する。そして、課題動詞多様度算出手段２９２は、課題動詞多様度を得る。
【０２４７】
（ステップＳ１２１８）課題動詞取得手段２９３は、ステップＳ１２１６で算出した課題動詞多様度が予め決められた閾値（α１）より大きいまたは閾値（α１）以上であるか否かを判断する。課題動詞多様度がα１より大きいまたはα１以上であればステップＳ１２１９に行き、α１以下またはα１より小さければステップＳ１２２０に行く。
【０２４８】
（ステップＳ１２１９）課題動詞取得手段２９３は、ｉ番目の課題動詞候補を、ｉ番目の課題動詞として、図示しない課題動詞格納部に蓄積する。なお、課題動詞格納部は、揮発性の記録媒体でも、不揮発性の記録媒体でも良い。
【０２４９】
（ステップＳ１２２０）カウンタｉを１、インクリメントする。ステップＳ１２１５に戻る。
【０２５０】
なお、図１２のフローチャートにおいて、精度低下の可能性があるが、課題動詞多様度を用いて処理を行わず、例えば、ステップＳ１２１３で取得された課題動詞候補を、課題動詞として、図示しない課題動詞格納部に蓄積しても良い。
【０２５１】
次に、情報蓄積装置２が効果動詞を取得する処理について、図１３のフローチャートを用いて説明する。図１３のフローチャートにおいて、図１２のフローチャートと同一のステップについて、説明を省略する。
【０２５２】
（ステップＳ１３０１）効果動詞候補取得手段２６１は、ｊ番目の文章の中を検査し、効果手がかり表現を検出する。さらに具体的には、効果動詞候補取得手段２６１は、効果手がかり表現群格納部１３の効果手がかり表現を順に読み込み、ｊ番目の文章の中に、効果手がかり表現が存在するか否か、効果手がかり表現が見つかるまで、または、効果手がかり表現群格納部１３のすべての効果手がかり表現を検査するまで処理を行う。
【０２５３】
（ステップＳ１３０２）効果動詞候補取得手段２６１は、ステップＳ１３０１で、効果手がかり表現を検出できたか否かを判断する。検出できればステップＳ１３０３に行き、検出できなければステップＳ１２１１に行く。
【０２５４】
（ステップＳ１３０３）効果動詞候補取得手段２６１は、ｊ番目の文章から、効果手がかり表現の前に出現する文字列であり、効果手がかり表現に最も近い格助詞までの文字列を取得する。つまり、効果動詞候補取得手段２６１は、ｊ番目の文章中の効果手がかり表現の先頭の位置から、前方向に格助詞が現れるまで、文字を結合していき、格助詞までの文字列を、効果動詞候補として取得する。
【０２５５】
（ステップＳ１３０４）効果動詞候補取得手段２６１は、ステップＳ１３０９で取得した効果動詞候補を、図示しないバッファに一時格納する。ここでの格納は、追記である。ステップＳ１２１１に行く。
【０２５６】
（ステップＳ１３０５）効果動詞候補取得手段２６１は、所定回数（例えば、「５」）以上検出された効果動詞候補のみを取得する。具体的には、効果動詞候補取得手段２６１は、バッファに一時格納されている効果動詞候補をソートし、各効果動詞候補の出現回数を取得する。そして、効果動詞候補取得手段２６１は、所定回数以上検出された効果動詞候補のみを取得する。なお、所定回数以上とは、所定回数より多い、を含んでいる概念である、と考える。また、所定回数以上とは、所定割合（この効果動詞の出現回数／効果動詞候補全体の数）以上、所定割合より多い、出現回数が上位Ｍ（Ｍは自然数）以内等も含む概念である、とする。
【０２５７】
（ステップＳ１３０６）効果動詞多様度算出手段２６２は、ステップＳ１３０５で取得された効果動詞候補の中に、ｉ番目の効果動詞候補が存在するか否かを判断する。ｉ番目の効果動詞候補が存在すればステップＳ１３１６に行き、ｉ番目の効果動詞候補が存在しなければ上位処理にリターンする。
【０２５８】
（ステップＳ１３０７）効果動詞多様度算出手段２６２は、効果動詞多様度を算出するための算出式を読み込む。算出式は、例えば、数式２である。
【０２５９】
（ステップＳ１３０８）効果動詞多様度算出手段２６２は、ステップＳ１３０７で読み込んだ算出式に、必要な値を代入し、効果動詞多様度を算出する。なお、算出式が数式２である場合、効果動詞多様度算出手段２６２は、事前に、｜Ｓ｜、｜Ｅ｜を取得する。また、効果動詞多様度算出手段２６２は、すべての効果手がかり表現ｅｃとすべての課題手がかり表現に対して、「Ｐｅｖ（ｅｃ，ｓｃ）」を算出する。そして、効果動詞多様度算出手段２６２は、エントロピーＨ（ｅｖ）を算出する。そして、効果動詞多様度算出手段２６２は、効果動詞多様度を得る。
【０２６０】
（ステップＳ１３０９）効果動詞取得手段２６３は、ステップＳ１３１６で算出した効果動詞多様度が予め決められた閾値（α２）より大きいまたは閾値（α２）以上であるか否かを判断する。課題動詞多様度がα２より大きいまたはα２以上であればステップＳ１３１０に行き、α２以下またはα２より小さければステップＳ１２２０に行く。
【０２６１】
（ステップＳ１３１０）効果動詞取得手段２６３は、ｉ番目の効果動詞候補を、ｉ番目の効果動詞として、図示しない効果動詞格納部に蓄積する。なお、効果動詞格納部は、揮発性の記録媒体でも、不揮発性の記録媒体でも良い。ステップＳ１２２０に行く。
【０２６２】
なお、図１３のフローチャートにおいて、精度低下の可能性があるが、効果動詞多様度を用いて処理を行わず、例えば、ステップＳ１３０５で取得された効果動詞候補を、効果動詞として、図示しない効果動詞格納部に蓄積しても良い。
【０２６３】
次に、情報蓄積装置２が効果名詞を取得する処理について、図１４のフローチャートを用いて説明する。図１４のフローチャートにおいて、図１２、および図１３のフローチャートと同一のステップについて、説明を省略する。
【０２６４】
（ステップＳ１４０１）効果名詞候補取得手段２５１は、ｊ番目の文章から、効果手がかり表現の直前に出現する名詞を取得する。なお、ｊ番目の文章は形態素解析され、各文節（または用語）の品詞の情報を有している、とする。また、効果名詞候補取得手段２５１が形態素解析処理を行っても良い。つまり、効果名詞候補取得手段２５１は、例えば、ｊ番目の文章中の効果手がかり表現の直前の用語を取得し、その用語の品詞が名詞であるか否かを判断する。その用語が名詞であれば、効果名詞候補取得手段２５１は、当該名詞を効果名詞候補として取得する。
【０２６５】
（ステップＳ１４０２）効果名詞候補取得手段２５１は、ステップＳ１４０１で取得した効果名詞候補を、図示しないバッファに一時格納する。ステップＳ１２１１に行く。
【０２６６】
（ステップＳ１４０３）効果名詞候補取得手段２５１は、所定回数（例えば、「５」）以上検出された効果名詞候補のみを取得する。具体的には、効果名詞候補取得手段２５１は、バッファに一時格納されている効果名詞候補をソートし、各効果名詞候補の出現回数を取得する。そして、効果名詞候補取得手段２５１は、所定回数以上検出された効果名詞候補のみを取得する。なお、所定回数以上とは、所定回数より多い、を含んでいる概念である、と考える。また、所定回数以上とは、所定割合（出現回数／全体の効果名詞候補数）以上、所定割合より多い、出現回数が上位Ｍ（Ｍは自然数）以内等も含む概念である、とする。
【０２６７】
（ステップＳ１４０４）効果名詞多様度算出手段２５２は、ステップＳ１４０３で取得された効果名詞候補の中に、ｉ番目の効果名詞候補が存在するか否かを判断する。ｉ番目の効果名詞候補が存在すればステップＳ１４０５に行き、ｉ番目の効果名詞候補が存在しなければ上位処理にリターンする。
【０２６８】
（ステップＳ１４０５）効果名詞多様度算出手段２５２は、効果名詞多様度を算出するための算出式を読み込む。算出式は、例えば、数式１である。
【０２６９】
（ステップＳ１４０６）効果名詞多様度算出手段２５２は、ステップＳ１４０５で読み込んだ算出式に、必要な値を代入し、効果名詞多様度を算出する。なお、算出式が数式１である場合、効果名詞多様度算出手段２５２は、事前に、｜Ｓ｜、｜Ｅ｜を取得する。また、効果名詞多様度算出手段２５２は、すべての効果手がかり表現ｅｃとすべての課題手がかり表現に対して、「Ｐｅｎ（ｅｃ，ｓｃ）」を算出する。そして、効果名詞多様度算出手段２５２は、エントロピーＨ（ｅｎ）を算出する。そして、効果名詞多様度算出手段２５２は、効果名詞多様度を得る。
【０２７０】
（ステップＳ１４０７）効果名詞取得手段２５３は、ステップＳ１４０６で算出した効果動詞多様度が予め決められた閾値（α３）より大きいまたは閾値（α３）以上であるか否かを判断する。課題動詞多様度がα３より大きいまたはα３以上であればステップＳ１４０８に行き、α３以下またはα３より小さければステップＳ１２２０に行く。
【０２７１】
（ステップＳ１４１０）効果名詞取得手段２５３は、ｉ番目の効果名詞候補を、ｉ番目の効果名詞として、図示しない効果名詞格納部に蓄積する。なお、効果名詞格納部は、揮発性の記録媒体でも、不揮発性の記録媒体でも良い。ステップＳ１２２０に行く。
【０２７２】
なお、図１４のフローチャートにおいて、精度低下の可能性があるが、効果名詞多様度を用いて処理を行わず、例えば、ステップＳ１４０３で取得された効果名詞候補を、効果名詞として、図示しない効果名詞格納部に蓄積しても良い。
【０２７３】
次に、情報蓄積装置２が課題手がかり表現を取得する処理について、図１５のフローチャートを用いて説明する。図１５のフローチャートにおいて、図１２のフローチャートと同一のステップについて、説明を省略する。
【０２７４】
（ステップＳ１５０１）課題手がかり表現候補取得手段３０１は、ｊ番目の文章の中を検査し、効果手がかり表現を検出する。さらに具体的には、課題手がかり表現候補取得手段３０１は、効果手がかり表現群格納部１３の効果手がかり表現を順に読み込み、ｊ番目の文章の中に、効果手がかり表現が存在するか否か、効果手がかり表現が見つかるまで、または、効果手がかり表現群格納部１３のすべての効果手がかり表現を検査するまで処理を行う。
【０２７５】
（ステップＳ１５０２）課題手がかり表現候補取得手段３０１は、ステップＳ１５０１で、効果手がかり表現を検出できたか否かを判断する。検出できればステップＳ１５０３に行き、検出できなければステップＳ１２１１に行く。
【０２７６】
（ステップＳ１５０３）課題手がかり表現候補取得手段３０１は、ｊ番目の文章の中を検査し、課題動詞を検出する。さらに具体的には、課題手がかり表現候補取得手段３０１は、図示しない課題動詞格納部の課題動詞を順に読み込み、ｊ番目の文章の中に、課題動詞が存在するか否か、課題動詞が見つかるまで、または、課題動詞格納部のすべての課題動詞を検査するまで処理を行う。
【０２７７】
（ステップＳ１５０４）課題手がかり表現候補取得手段３０１は、ステップＳ１５０１で、課題動詞を検出できたか否かを判断する。検出できればステップＳ１５０５に行き、検出できなければステップＳ１２１１に行く。
【０２７８】
（ステップＳ１５０５）課題手がかり表現候補取得手段３０１は、ｊ番目の文章から、課題動詞の直後に存在する文字列であり、読点までの文字列を課題手がかり表現候補として取得する。
【０２７９】
（ステップＳ１５０６）課題手がかり表現候補取得手段３０１は、ステップＳ１５０９で取得した課題手がかり表現候補が、所定の語を含むか否かを判断する。所定の語を含む場合ステップＳ１２１１に行き、所定の語を含まない場合ステップＳ１５０７に行く。なお、所定の語は、除外用語である。除外用語とは、課題表現と効果表現との関係が成立しない場合がある課題手がかり表現に含まれる用語である。除外用語として、例えば、「ともに」「共に」「とき」「時」「場合」「際」「なく」「無く」「ない」「こと、」「だけ」「と、」「一方、」「など、」「前に、」などである。なお、課題手がかり表現候補取得手段３０１は、予め１以上の除外用語を格納している、とする。
【０２８０】
（ステップＳ１５０７）課題手がかり表現候補取得手段３０１は、ステップＳ１５０５で取得した課題手がかり表現候補を、図示しないバッファに一時格納する。バッファに一時格納される課題手がかり表現候補は、ステップＳ１５０６で除外されなかった課題手がかり表現候補である。
【０２８１】
（ステップＳ１５０８）課題手がかり表現候補取得手段３０１は、所定回数（例えば、「５」）以上検出された課題手がかり表現候補のみを取得する。具体的には、課題手がかり表現候補取得手段３０１は、バッファに一時格納されている課題手がかり表現候補をソートし、各課題手がかり表現候補の出現回数を取得する。そして、課題手がかり表現候補取得手段３０１は、所定回数以上検出された課題手がかり表現候補のみを取得する。なお、所定回数以上とは、所定回数より多い、を含んでいる概念である、と考える。また、所定回数以上とは、所定割合（出現回数／課題手がかり表現候補の全体数）以上、所定割合より多い、出現回数が上位Ｍ（Ｍは自然数）以内等も含む概念である、とする。
【０２８２】
（ステップＳ１５０９）課題手がかり表現多様度算出手段３０２は、ステップＳ１５０８で取得された課題手がかり表現候補の中に、ｉ番目の課題手がかり表現候補が存在するか否かを判断する。ｉ番目の課題手がかり表現候補が存在すればステップＳ１５１０に行き、ｉ番目の課題手がかり表現候補が存在しなければ上位処理にリターンする。
【０２８３】
（ステップＳ１５１０）課題手がかり表現多様度算出手段３０２は、課題手がかり表現多様度を算出するための算出式を読み込む。算出式は、例えば、数式６である。
【０２８４】
（ステップＳ１５１１）課題手がかり表現多様度算出手段３０２は、ステップＳ１５０９で読み込んだ算出式に、必要な値を代入し、課題手がかり表現多様度を算出する。なお、算出式が数式６である場合、課題手がかり表現多様度算出手段３０２は、事前に、｜Ｓ｜、｜Ｅ｜を取得する。また、課題手がかり表現多様度算出手段３０２は、すべての効果手がかり表現ｅｃとすべての課題動詞（ｓｖ）に対して、「ＰＳｃ（ｅｃ，ｓｖ）」を算出する。そして、課題手がかり表現多様度算出手段３０２は、エントロピーＨ（Ｓｃ）を算出する。そして、課題手がかり表現多様度算出手段３０２は、課題手がかり表現多様度を得る。
【０２８５】
（ステップＳ１５１２）課題手がかり表現取得手段３０３は、ステップＳ１５１０で算出した課題手がかり表現多様度が予め決められた閾値（α４）より大きいまたは閾値（α４）以上であるか否かを判断する。課題手がかり表現多様度がα４より大きいまたはα４以上であればステップＳ１５１３に行き、α４以下またはα４より小さければステップＳ１２２０に行く。
【０２８６】
（ステップＳ１５１３）課題手がかり表現取得手段３０３は、ｉ番目の課題手がかり表現候補を、ｉ番目の課題手がかり表現として、課題手がかり表現群格納部１２に蓄積する。
【０２８７】
なお、図１５のフローチャートにおいて、精度低下の可能性があるが、課題手がかり表現多様度を用いて処理を行わず、例えば、ステップＳ１５０７で取得された課題手がかり表現候補を、課題手がかり表現として、課題手がかり表現群格納部１２に蓄積しても良い。
【０２８８】
また、図１５のフローチャートにおいて、ｊ番目の文章の中を検査し、効果手がかり表現の存在を検出した後、課題動詞の存在を検出した。しかし、課題動詞の存在を検出した後、効果手がかり表現の存在を検出しても良いことは言うまでもない。
【０２８９】
次に、情報蓄積装置２が効果手がかり表現を取得する処理について、図１６、図１７のフローチャートを用いて説明する。図１６、図１７のフローチャートにおいて、図１２のフローチャートと同一のステップについて、説明を省略する。
【０２９０】
（ステップＳ１６０１）効果手がかり表現候補取得手段２７１は、ｊ番目の文章の中を検査し、課題手がかり表現を検出する。さらに具体的には、効果手がかり表現候補取得手段２７１は、課題手がかり表現群格納部１２の課題手がかり表現を順に読み込み、ｊ番目の文章の中に、課題手がかり表現が存在するか否か、課題手がかり表現が見つかるまで、または、課題手がかり表現群格納部１２のすべての課題手がかり表現を検査するまで処理を行う。
【０２９１】
（ステップＳ１６０２）効果手がかり表現候補取得手段２７１は、ステップＳ１６０１で、課題手がかり表現を検出できたか否かを判断する。検出できればステップＳ１６０３に行き、検出できなければステップＳ１６０７に行く。
【０２９２】
（ステップＳ１６０３）効果手がかり表現候補取得手段２７１は、ｊ番目の文章の中を検査し、効果動詞を検出する。さらに具体的には、効果手がかり表現候補取得手段２７１は、図示しない効果動詞格納部の効果動詞を順に読み込み、ｊ番目の文章の中に、効果動詞が存在するか否か、効果動詞が見つかるまで、または、効果動詞格納部のすべての効果動詞を検査するまで処理を行う。
【０２９３】
（ステップＳ１６０４）効果手がかり表現候補取得手段２７１は、ステップＳ１６０３で、課題動詞を検出できたか否かを判断する。検出できればステップＳ１６０５に行き、検出できなければステップＳ１６０７に行く。
【０２９４】
（ステップＳ１６０５）効果手がかり表現候補取得手段２７１は、ｊ番目の文章から、効果動詞の直後に存在する文字列であり、句点までの文字列を取得する。
【０２９５】
（ステップＳ１６０６）効果手がかり表現候補取得手段２７１は、ステップＳ１６０５で取得した文字列を「こと型」効果手がかり表現候補として、図示しないバッファに一時格納する。なお、例えば、効果手がかり表現候補取得手段２７１は、「こと型」効果手がかり表現候補であることを示すフラグ（例えば「１」）と、当該文字列を、図示しないバッファに一時格納する。なお、「こと型」効果手がかり表現候補が取得できたので、次のステップとして、ステップＳ１２１１に行っても良い。
【０２９６】
（ステップＳ１６０７）効果手がかり表現候補取得手段２７１は、ｊ番目の文章の中を検査し、課題手がかり表現を検出する。
【０２９７】
（ステップＳ１６０８）効果手がかり表現候補取得手段２７１は、ステップＳ１６０７で、課題手がかり表現を検出できたか否かを判断する。検出できればステップＳ１６０９に行き、検出できなければステップＳ１２１１に行く。
【０２９８】
（ステップＳ１６０９）効果手がかり表現候補取得手段２７１は、ｊ番目の文章の中を検査し、効果名詞を検出する。さらに具体的には、効果手がかり表現候補取得手段２７１は、図示しない効果名詞格納部の効果名詞を順に読み込み、ｊ番目の文章の中に、効果名詞が存在するか否か、効果名詞が見つかるまで、または、効果名詞格納部のすべての効果名詞を検査するまで処理を行う。
【０２９９】
（ステップＳ１６１０）効果手がかり表現候補取得手段２７１は、ステップＳ１６０９で、効果名詞を検出できたか否かを判断する。検出できればステップＳ１６１１に行き、検出できなければステップＳ１２１１に行く。
【０３００】
（ステップＳ１６１１）効果手がかり表現候補取得手段２７１は、ｊ番目の文章から、効果名詞の直後に存在する文字列であり、句点までの文字列を取得する。
【０３０１】
（ステップＳ１６１２）効果手がかり表現候補取得手段２７１は、ステップＳ１６１１で取得した文字列を「動詞型」効果手がかり表現候補として、図示しないバッファに一時格納する。なお、例えば、効果手がかり表現候補取得手段２７１は、「動詞型」効果手がかり表現候補であることを示すフラグ（例えば「２」）と、当該文字列を、図示しないバッファに一時格納する。ステップＳ１２１１に行く。
【０３０２】
（ステップＳ１６１３）効果手がかり表現候補取得手段２７１は、所定回数（例えば、「５」）以上検出された効果手がかり表現候補のみを取得する。具体的には、効果手がかり表現候補取得手段２７１は、バッファに一時格納されている効果手がかり表現候補をソートし、各効果手がかり表現候補の出現回数を取得する。そして、効果手がかり表現候補取得手段２７１は、所定回数以上検出された効果手がかり表現候補のみを取得する。なお、所定回数以上とは、所定回数より多い、を含んでいる概念である、と考える。また、所定回数以上とは、所定割合（出現回数／効果手がかり表現候補の全体数）以上、所定割合より多い、出現回数が上位Ｍ（Ｍは自然数）以内等も含む概念である、とする。
【０３０３】
（ステップＳ１６１４）効果手がかり表現多様度算出手段２７２は、ステップＳ１６０６、およびＳ１６１２で取得された効果手がかり表現候補の中に、ｉ番目の効果手がかり表現候補が存在するか否かを判断する。ｉ番目の効果手がかり表現候補が存在すればステップＳ１６１５に行き、ｉ番目の効果手がかり表現候補が存在しなければステップＳ１６１８に行く。
【０３０４】
（ステップＳ１６１５）効果手がかり表現多様度算出手段２７２は、エントロピー（Ｈ（ｅｖｃ））を算出するための算出式を読み込む。算出式は、例えば、数式４の（Ｈ（ｅｖｃ））の式である。
【０３０５】
（ステップＳ１６１６）効果手がかり表現多様度算出手段２７２は、ステップＳ１６１５で読み込んだ算出式に、必要な値を代入し、エントロピーを算出する。なお、算出式が数式４である場合、効果手がかり表現多様度算出手段２７２は、事前に、Ｎ（ｅｖｃ）、ｆｅｖｃ（ｅｎ，ｓｃ）を取得する。そして、効果手がかり表現多様度算出手段２７２は、すべての効果名詞（ｅｎ）とすべての課題手がかり表現（ｓｃ）に対して、「Ｐｅｖｃ（ｅｎ，ｓｃ）」を算出する。そして、効果手がかり表現多様度算出手段２７２は、エントロピーＨ（ｅｖｃ）を算出する。
【０３０６】
（ステップＳ１６１７）効果手がかり表現多様度算出手段２７２は、ステップＳ１６１６で取得したエントロピーを、効果手がかり表現候補に対応付けて一時格納する。
【０３０７】
（ステップＳ１６１８）効果手がかり表現多様度算出手段２７２は、ステップＳ１６１７で格納したエントロピーのうちで、最大のエントロピー（ｍａｘＨ（ｅｖｃ））を取得する。
【０３０８】
（ステップＳ１６１９）効果手がかり表現多様度算出手段２７２は、ステップＳ１６０６、およびＳ１６１２で取得された効果手がかり表現候補の中に、ｉ番目の効果手がかり表現候補が存在するか否かを判断する。ｉ番目の効果手がかり表現候補が存在すればステップＳ１６２０に行き、ｉ番目の効果手がかり表現候補が存在しなければ上位処理にリターンする。
【０３０９】
（ステップＳ１６２０）効果手がかり表現多様度算出手段２７２は、効果手がかり表現多様を算出するための算出式を読み込む。算出式は、例えば、数式４である。
【０３１０】
（ステップＳ１６２１）効果手がかり表現多様度算出手段２７２は、ステップＳ１６２０で読み込んだ算出式に、必要な値を代入し、効果手がかり表現多様度を算出する。なお、算出式が数式３である場合、ステップＳ１６１８で取得した最大のエントロピー（ｍａｘＨ（ｅｖｃ））と、ステップＳ１６１７で取得したエントロピーとを用いて、効果手がかり表現多様度を算出する。
【０３１１】
（ステップＳ１６２２）効果手がかり表現取得手段２７３は、ステップＳ１６２１で算出した効果手がかり表現多様度が予め決められた閾値（α５）より大きいまたは閾値（α５）以上であるか否かを判断する。効果手がかり表現多様度がα５より大きいまたはα５以上であればステップＳ１６１２に行き、α５以下またはα５より小さければステップＳ１２２０に行く。
【０３１２】
（ステップＳ１６２３）効果手がかり表現取得手段２７３は、ｉ番目の効果手がかり表現候補を、ｉ番目の効果手がかり表現として、効果手がかり表現群格納部１３に蓄積する。ステップＳ１２２０に行く。
【０３１３】
なお、図１６のフローチャートにおいて、精度低下の可能性があるが、効果手がかり表現多様度を用いて処理を行わず、例えば、ステップＳ１６１３で取得された効果手がかり表現候補を、効果手がかり表現として、効果手がかり表現群格納部１３に蓄積しても良い。
【０３１４】
また、図１６のフローチャートにおいて、ｊ番目の文章の中を検査し、課題手がかり表現の存在を検出した後、効果動詞や効果名詞の存在を検出した。しかし、効果動詞や効果名詞の存在を検出した後、課題手がかり表現の存在を検出しても良いことは言うまでもない。
【０３１５】
さらに、図１６のフローチャートのステップＳ１６１３以降の処理は、「動詞型」の効果手がかり表現を取得するための処理であった。「こと型」の効果手がかり表現を取得するアルゴリズムは、課題手がかり表現を取得するアルゴリズムと同様であるので、詳細を省略する。
【０３１６】
以下、本実施の形態における情報蓄積装置２の具体的な動作について説明する。まず、図１８を用いて、情報蓄積装置２の動作の概念を説明する。情報蓄積装置２の動作を、「Ｃｒｏｓｓ−Ｂｏｏｔｓｔｒａｐｐｉｎｇ」と呼ぶ。
【０３１７】
まず、第一ステップで、情報蓄積装置２は、初期の課題手がかり表現をいくつか選び、課題手がかり表現集合Ｓの要素とする。また、情報蓄積装置２は、初期の効果手がかり表現をいくつか選び、効果手がかり表現集合Ｅの要素とする。
【０３１８】
第二ステップで、情報蓄積装置２は、課題手がかり表現集合Ｓと効果手がかり表現集合Ｅ（こと型効果手がかり表現のみ）を用いて、課題動詞を獲得する。また、情報蓄積装置２は、課題手がかり表現集合Ｓと効果手がかり表現集合Ｅを用いて，効果動詞と効果名詞を獲得する。
【０３１９】
第三ステップで、情報蓄積装置２は、獲得した課題動詞と効果手がかり表現集合Ｅ（こと型効果手がかり表現のみ）を用いて、新たな課題手がかり表現を獲得する。情報蓄積装置２は、獲得した効果動詞、および効果名詞と課題手がかり表現集合Ｓを用いて，新たな効果手がかり表現を獲得する。
【０３２０】
第四ステップで、情報蓄積装置２は、新たに獲得した課題手がかり表現、および効果手がかり表現をそれぞれＳとＥに追加する。
【０３２１】
第五ステップで、情報蓄積装置２は、第二ステップから第四ステップを予め定められた回数繰り返す。
【０３２２】
第五ステップで、情報蓄積装置２は、課題手がかり表現集合Ｓと効果手がかり表現集合Ｅを用いて課題表現および効果表現を抽出する。
【０３２３】
以下、さらに具体的に、情報蓄積装置２の動作例について、説明する。まず、課題動詞の取得処理について説明する。文章取得部１４は、例えば、「移載装置は、旋回により収容部材を搬送することができるため、移載装置を小型化することができ、洗浄システムの据付けに必要な設置スペースを少なくすることができる。」という文章（ここでは、一文）を取得した、とする。そして、この文は形態素解析され、各形態素に分割される。また、各形態素の品詞の情報が得られる。そして、課題動詞候補取得手段２９１は、図１９に示すように、課題手がかり表現、および効果手がかり表現でパターンマッチングし、課題手がかり表現の直前に出現する動詞句（格助詞が出現するまで形態素を連結した文字列）を、課題動詞候補として取得する。つまり、課題動詞候補取得手段２９１は、上記文章から、「を小型化する」を課題動詞候補として取得する。また、かかる説明した処理を、繰り返し行い、課題動詞候補取得手段２９１は、多数の課題動詞候補を取得した、とする。
【０３２４】
次に、効果動詞候補取得手段２６１は、課題動詞候補「を小型化する」は５回以上検出された課題動詞候補である、と判断する。
【０３２５】
次に、課題動詞多様度算出手段２９２は、数式５に基づいて、課題動詞候補「を小型化する」の課題動詞多様度「０．７」を算出した、とする。
【０３２６】
次に、課題動詞取得手段２９３は、予め決められた閾値（α１＝０．５）と、算出した課題動詞多様度「０．７」とを比較し、算出した課題動詞多様度が閾値より大きいと判断する。そして、課題動詞取得手段２９３は、課題動詞候補「を小型化する」を課題動詞として、図示しない課題動詞格納部に蓄積する。
【０３２７】
課題動詞取得部２９は、課題動詞多様度の算出、および課題動詞の蓄積処理を繰り返し、１以上の課題動詞を課題動詞格納部に蓄積する。
【０３２８】
なお、上記の課題動詞取得部２９の処理は、様々な課題手がかり表現、および効果手がかり表現と共起する課題動詞候補は有用であるという仮定に基づき、エントロピーを使用している。
【０３２９】
次に、課題手がかり表現の取得処理について説明する。文章取得部１４は、例えば、「移載装置は、旋回により収容部材を搬送することができるため、移載装置を小型化することができ、洗浄システムの据付けに必要な設置スペースを少なくすることができる。」という文章（ここでは、一文）を取得した、とする。そして、この文は形態素解析され、各形態素に分割されている。また、各形態素の品詞の情報が得られている、とする。そして、課題手がかり表現候補取得手段３０１は、図２０に示すように、課題動詞、および効果手がかり表現でパターンマッチングし、課題動詞の直後に出現する文字列であり、読点までの文字列を課題手がかり表現候補として取得する。つまり、課題手がかり表現候補取得手段３０１は、上記文章から、「ことができ、」を課題手がかり表現候補として取得する。また、かかる説明した処理を、繰り返し行い、課題手がかり表現候補取得手段３０１は、多数の課題手がかり表現候補を取得した、とする。
【０３３０】
次に、課題手がかり表現候補取得手段３０１は、課題手がかり表現候補「ことができ、」は５回以上検出された課題手がかり表現候補である、と判断する。
【０３３１】
次に、課題手がかり表現多様度算出手段３０２は、数式６に基づいて、課題手がかり表現候補「ことができ、」の課題手がかり表現多様度「０．８３」を算出した、とする。
【０３３２】
次に、課題手がかり表現取得手段３０３は、予め決められた閾値（α４＝０．５）と、算出した課題手がかり表現多様度「０．８３」とを比較し、算出した課題手がかり表現多様度が閾値より大きいと判断する。そして、課題手がかり表現取得手段３０３は、課題手がかり表現候補「ことができ、」を課題手がかり表現として、課題手がかり表現群格納部１２に蓄積する。
【０３３３】
課題手がかり表現取得部３０は、課題手がかり表現多様度の算出、および課題手がかり表現の蓄積処理を繰り返し、１以上の課題手がかり表現を課題手がかり表現群格納部１２に蓄積する。
【０３３４】
なお、上記の課題手がかり表現取得部３０の処理は、様々な課題動詞、および効果手がかり表現と共起する課題手がかり表現候補は有用であるという仮定に基づき、エントロピーを使用している。
【０３３５】
次に、効果動詞の取得処理について説明する。文章取得部１４は、例えば、「移載装置は、旋回により収容部材を搬送することができるため、移載装置を小型化することができ、洗浄システムの据付けに必要な設置スペースを少なくすることができる。」という文章（ここでは、一文）を取得した、とする。そして、この文は形態素解析され、各形態素に分割されている。また、各形態素の品詞の情報が得られている、とする。そして、効果動詞取得部２６の効果動詞候補取得手段２６１は、図２１に示すように、課題手がかり表現、および効果手がかり表現が存在する文を検知し、当該文から、効果手がかり表現の前に出現する文字を格助詞が出現するところまでで切り取り、効果動詞候補を取得する。つまり、効果動詞候補取得手段２６１は、上記文章から、効果手がかり表現「ことができる。」の直前に出現する「を少なくする」を効果動詞候補として取得する。また、かかる説明した処理を、繰り返し行い、効果動詞候補取得手段２６１は、多数の効果動詞候補を取得した、とする。
【０３３６】
次に、効果動詞候補取得手段２６１は、効果動詞候補「を少なくする」は５回以上検出された効果動詞候補である、と判断する。
【０３３７】
次に、効果動詞多様度算出手段２６２は、数式２に基づいて、課題動詞候補「を少なくする」の効果動詞多様度「０．７７」を算出した、とする。
【０３３８】
次に、効果動詞多様度算出手段２６２は、予め決められた閾値（α２＝０．６）と、算出した効果動詞多様度「０．７７」とを比較し、算出した効果動詞多様度が閾値より大きいと判断する。そして、効果動詞多様度算出手段２６２は、効果動詞候補「を少なくする」を効果動詞として、図示しない効果動詞格納部に蓄積する。
【０３３９】
効果動詞取得部２６は、効果動詞多様度の算出、および効果動詞の蓄積処理を繰り返し、１以上の効果動詞を効果動詞格納部に蓄積する。
【０３４０】
なお、上記の効果動詞取得部２６の処理は、様々な課題手がかり表現、および効果手がかり表現と共起する効果動詞候補は有用であるという仮定に基づき、エントロピーを使用している。
【０３４１】
次に、効果動詞を用いた「こと型」効果手がかり表現の取得処理について説明する。文章取得部１４は、例えば、「移載装置は、旋回により収容部材を搬送することができるため、移載装置を小型化することができ、洗浄システムの据付けに必要な設置スペースを少なくすることができる。」という文章（ここでは、一文）を取得した、とする。そして、この文は形態素解析され、各形態素に分割されている。また、各形態素の品詞の情報が得られている、とする。そして、効果手がかり表現候補取得手段２７１は、図２２に示すように、効果動詞、および課題手がかり表現でパターンマッチングし、効果動詞の後に出現する文字を句点が出現するところまでで切り取り、「こと型」効果手がかり表現候補を取得する。つまり、効果手がかり表現候補取得手段２７１は、上記文章から、効果動詞「少なくする」の後に出現する文字から句点までの「ことができる。」を課題動詞候補として取得する。また、かかる説明した処理を、繰り返し行い、効果手がかり表現候補取得手段２７１は、多数の効果手がかり表現候候補を取得した、とする。
【０３４２】
次に、効果手がかり表現候補取得手段２７１は、効果手がかり表現候補「ことができる。」は５回以上検出された効果手がかり表現候補である、と判断する。
【０３４３】
次に、効果手がかり表現多様度算出手段２７２は、数式３に基づいて、課題動詞候補「を小型化する」の課題動詞多様度「０．８８」を算出した、とする。
【０３４４】
次に、効果手がかり表現取得手段２７３は、予め決められた閾値（α１＝０．５）と、算出した課題動詞多様度「０．８８」とを比較し、算出した効果手がかり表現多様度が閾値より大きいと判断する。そして、効果手がかり表現取得手段２７３は、効果手がかり表現候補「ことができる。」を効果手がかり表現として、効果手がかり表現群格納部１３に蓄積する。
【０３４５】
効果手がかり表現取得部２７は、効果手がかり表現多様度の算出、および効果手がかり表現の蓄積処理を繰り返し、１以上の効果手がかり表現を効果手がかり表現群格納部１３に蓄積する。
【０３４６】
なお、上記の効果手がかり表現取得部２７の処理は、様々な課題手がかり表現、および効果動詞と共起する効果手がかり表現候補は有用であるという仮定に基づき、エントロピーを使用している。
【０３４７】
次に、効果名詞の取得処理について説明する。文章取得部１４は、例えば、特許書類の［発明の効果］の欄から、「光量が最小となる再帰性反射体からの反射光が、光学的開口面に略垂直に入射されるようにしたので、光量が最小となる反射光を効率良く受光でき、検出精度の向上を図れる。」という文章（ここでは、一文）を取得した、とする。そして、この文は形態素解析され、各形態素に分割される。また、各形態素の品詞の情報が得られる。そして、効果名詞候補取得手段２５１は、図２３に示すように、課題手がかり表現、および「動詞型」効果手がかり表現でパターンマッチングし、効果手がかり表現「を図れる。」の直前に出現する名詞「向上」を、効果名詞候補として取得する。また、かかる説明した処理を、繰り返し行い、効果名詞候補取得手段２５１は、多数の効果名詞候補を取得した、とする。
【０３４８】
次に、効果名詞候補取得手段２５１は、効果名詞候補「向上」は５回以上検出された効果名詞候補である、と判断する。
【０３４９】
次に、効果名詞多様度算出手段２５２は、数式１に基づいて、効果名詞候補「向上」の効果名詞多様度「０．６１」を算出した、とする。
【０３５０】
次に、効果名詞取得手段２５３は、予め決められた閾値（α３＝０．６）と、算出した効果名詞多様度「０．６１」とを比較し、算出した効果名詞多様度が閾値より大きいと判断する。そして、効果名詞取得手段２５３は、効果名詞候補「向上」を効果名詞として、図示しない効果名詞格納部に蓄積する。
【０３５１】
効果名詞取得部２５は、効果名詞多様度の算出、および効果名詞の蓄積処理を繰り返し、１以上の効果名詞を効果名詞格納部に蓄積する。
【０３５２】
なお、上記の効果名詞取得部２５の処理は、様々な課題手がかり表現、および「動詞型」効果手がかり表現と共起する効果名詞候補は有用であるという仮定に基づき、エントロピーを使用している。
【０３５３】
次に、効果名詞を用いた「動詞型」効果手がかり表現の取得処理について説明する。文章取得部１４は、例えば、特許書類の［発明の効果］の欄から、「光量が最小となる再帰性反射体からの反射光が、光学的開口面に略垂直に入射されるようにしたので、光量が最小となる反射光を効率良く受光でき、検出精度の向上を図れる。」という文章（ここでは、一文）を取得した、とする。そして、この文は形態素解析され、各形態素に分割される。また、各形態素の品詞の情報が得られる。そして、効果手がかり表現候補取得手段２７１は、図２４に示すように、課題手がかり表現、および効果名詞でパターンマッチングし、効果名詞「向上」の後に出現する文字を句点が出現するところまで切り取り出し、「動詞型」効果手がかり表現候補「を図れる。」を取得する。また、かかる説明した処理を、繰り返し行い、効果手がかり表現候補取得手段２７１は、多数の効果手がかり表現候補を取得した、とする。
【０３５４】
次に、効果手がかり表現候補取得手段２７１は、効果手がかり表現候補「を図れる。」は５回以上検出された効果手がかり表現候補である、と判断する。
【０３５５】
次に、効果手がかり表現多様度算出手段２７２は、数式４に基づいて、効果手がかり表現候補「を図れる。」の効果手がかり表現多様度「０．７５」を算出した、とする。
【０３５６】
次に、効果手がかり表現取得手段２７３は、予め決められた閾値（α３＝０．６）と、算出した効果手がかり表現多様度「０．７５」とを比較し、算出した効果手がかり表現多様度が閾値より大きいと判断する。そして、効果手がかり表現取得手段２７３は、効果手がかり表現候補「を図れる。」を効果手がかり表現として、効果手がかり表現群格納部１３に蓄積する。
【０３５７】
効果手がかり表現取得部２７は、効果手がかり表現多様度の算出、および効果手がかり表現の蓄積処理を繰り返し、１以上の効果手がかり表現を効果手がかり表現群格納部１３に蓄積する。
【０３５８】
なお、上記の効果手がかり表現取得部２７の処理は、様々な課題手がかり表現、および効果名詞と共起する「動詞型」効果手がかり表現候補は有用であるという仮定に基づき、エントロピーを使用している。
【０３５９】
また、上記の課題動詞、効果動詞、効果名詞、課題手がかり表現、「こと型」効果手がかり表現、および「動詞型」効果手がかり表現を抽出する場合に利用する他の種類の文字列は、予め格納されている。さらに、取得した課題動詞、効果動詞、効果名詞、課題手がかり表現、「こと型」効果手がかり表現、および「動詞型」効果手がかり表現が、予め格納されている課題動詞等と同じであれば、蓄積されないことは好適である。
【０３６０】
次に、情報蓄積装置２の評価実験について、以下に説明する。２０００年に日本国において出願された全ての特許明細書３５８，０８５件の中から「発明の効果」に該当する文である１，２２８，８９３文を抽出し、それらの文を用いて、情報蓄積装置２の評価実験を行った。
【０３６１】
正解データとして、上記の１，２２８，８９３文から無作為に１００文選び、人手でタグを付与したものを用いた。上記の「発明の効果」１００文にタグを付与したところ、６０個の課題・効果表現対が存在した。また、形態素解析手段として、ＭｅＣａｂを用い、係り受け解析手段として、ＣａｂｏＣｈａを用いた。
【０３６２】
また、初期の課題手がかり表現には「ことにより、」「ことができ、」を用いた。また、初期の「こと型」効果手がかり表現には「ことができる。」「ことができるようになった。」を用いた。さらに、初期の「動詞型」効果手がかり表現には「を減少できる。」「を図れる。」を用いた。
【０３６３】
本評価実験において、抽出した課題表現および効果表現が正しいかどうかは人手で判断した。その際の、適合率（Ｐ），再現率（Ｒ），Ｆ値（Ｆ−Ｍｅａｓｕｒｅ）の定義を、数式７に示す。
【数７】
2011022668.tif 000009
【０３６４】
数式７において、Ａは、正解データから本手法によって抽出した課題表現、または効果表現のうち、正解であった課題表現、または効果表現を要素とする集合である。また、Ｑは、正解データから本手法によって抽出した課題表現、または効果表現を要素とする集合である。また、Ｔは、正解データに含まれる人手で抽出した６０個の課題表現および効果表現対を要素とする集合である。そして、"｜""｜"で囲まれた値は、集合内の要素数である。
【０３６５】
以上の条件のもと、情報蓄積装置２の評価実験の結果を図２５から図２８に示す。図２５は、閾値が０．７であるときの評価結果である。図２６は、閾値が０．６であるときの評価結果である。図２７は、閾値が０．５であるときの評価結果である。さらに、図２８は、閾値が０．４であるときの評価結果である。図２５から図２８により、「閾値（α）＝０．５」であり、制御部３２が制御するループ回数Ｎが「３」のとき、課題表現および効果表現のＦ値は「０．９」と最も高かった。
【０３６６】
また、従来技術（非特許文献１）を利用した評価実験結果を図２９に示す。この評価実験における方法を、ベースラインということとする。そして、図２５から図２９から、ベースラインにおける両方のＦ値が０．１９と最も低かったことが分かる。
【０３６７】
以上より、情報蓄積装置２の有用性が示せた。また、Ｆ値「０．９」は、極めて良好な結果であると言える。
【０３６８】
上記の評価結果において、情報蓄積装置２の手法は閾値が低いほどよい結果になっている傾向が見られた。これは、以下の３つの要因に起因すると考えられる。一つ目は、スコア付けに用いたエントロピーがうまく働いて、不適切な表現を除去できたことである。二つ目は、二つの手がかり表現を用いたことである。本手法は二つの手がかり表現を用いるため、どちらかの手がかり表現に不適切なものがあった場合、文にマッチせず課題表現および効果表現を抽出しない。そのため，不適切な手がかり表現が含まれていても、その影響を抑えることができる。三つ目は、適切な手がかり表現が獲得できていない場合、他の手がかり表現を適切な手がかり表現であると判断してしまうことである。以上の３つの要因により、良好な結果がもたらされたと考えられる。
【０３６９】
以上、本実施の形態によれば、課題手がかり表現や効果手がかり表現を自動的に抽出できる。しかも、本実施の形態によれば、極めて精度高く、課題手がかり表現や効果手がかり表現を自動的に抽出できる。
【０３７０】
なお、本実施の形態における情報蓄積装置を実現するソフトウェアは、以下のようなプログラムである。つまり、このプログラムは、記憶媒体に、特許に関する書類である１以上の特許書類と、課題を示す表現である課題表現を取得するために用いる手がかり句である１以上の課題手がかり表現と、効果を示す表現である効果表現を取得するために用いる手がかり句である１以上の効果手がかり表現とを格納しており、コンピュータを、前記記憶媒体から1以上の特許書類を取得し、当該特許書類のうちの予め決められた範囲の1以上の文章を取得する文章取得部と、前記文章取得部が取得した１以上のいずれかの文章から、課題手がかり表現を検出し、当該課題手がかり表現の前に出現する文字列であり、当該課題手がかり表現に最も近い格助詞までの文字列である１以上の課題動詞を取得する課題動詞取得部と、前記文章取得部が取得した１以上のいずれかの文章から、前記１以上のいずれかの効果手がかり表現の前に存在し、かつ前記１以上のいずれかの課題動詞の直後に存在する文字列であり、読点までの文字列を課題手がかり表現として取得する課題手がかり表現取得部と、前記課題手がかり表現を、前記記憶媒体に蓄積する課題手がかり表現蓄積部として機能させるためのプログラム、である。
【０３７１】
また、このプログラムは、記憶媒体に、特許に関する書類である１以上の特許書類と、課題を示す表現である課題表現を取得するために用いる手がかり句である１以上の課題手がかり表現と、効果を示す表現である効果表現を取得するために用いる手がかり句である１以上の効果手がかり表現とを格納しており、コンピュータを、前記記憶媒体から1以上の特許書類を取得し、当該特許書類のうちの予め決められた範囲の1以上の文章を取得する文章取得部と、前記文章取得部が取得した１以上のいずれかの文章から、効果手がかり表現を検出し、当該効果手がかり表現の前に出現する文字列であり、当該効果手がかり表現に最も近い格助詞までの文字列である１以上の効果動詞を取得する効果動詞取得部と、前記文章取得部が取得した１以上のいずれかの文章から、前記１以上のいずれかの課題手がかり表現の後ろに存在し、かつ前記１以上のいずれかの効果動詞の直後に存在する文字列であり、句点までの文字列を効果手がかり表現として取得する効果手がかり表現取得部と、前記効果手がかり表現を、前記記憶媒体に蓄積する効果手がかり表現蓄積部として機能させるためのプログラム、である。
【０３７２】
さらに、このプログラムは、記憶媒体に、特許に関する書類である１以上の特許書類と、課題を示す表現である課題表現を取得するために用いる手がかり句である１以上の課題手がかり表現と、効果を示す表現である効果表現を取得するために用いる手がかり句である１以上の効果手がかり表現とを格納しており、コンピュータを、前記記憶媒体から1以上の特許書類を取得し、当該特許書類のうちの予め決められた範囲の1以上の文章を取得する文章取得部と、前記文章取得部が取得した１以上のいずれかの文章から、効果手がかり表現を検出し、当該効果手がかり表現の直前に出現する名詞である１以上の効果名詞を取得する効果名詞取得部と、前記文章取得部が取得した１以上のいずれかの文章から、前記１以上のいずれかの課題手がかり表現の後ろに存在し、かつ前記１以上のいずれかの効果名詞の後に存在する文字列であり、句点までの文字列を効果手がかり表現として取得する効果手がかり表現取得部と、前記効果手がかり表現を、前記記憶媒体に蓄積する効果手がかり表現蓄積部として機能させるためのプログラム、である。
【０３７３】
また、図３０は、本明細書で述べたプログラムを実行して、上述した実施の形態の情報出力装置や情報蓄積装置を実現するコンピュータの外観を示す。上述の実施の形態は、コンピュータハードウェア及びその上で実行されるコンピュータプログラムで実現され得る。図３０は、このコンピュータシステム３４０の概観図であり、図３１は、コンピュータシステム３４０の内部構成を示す図である。
【０３７４】
図３０において、コンピュータシステム３４０は、ＦＤドライブ３４１１、ＣＤ−ＲＯＭドライブ３４１２を含むコンピュータ３４１と、キーボード３４２と、マウス３４３と、モニタ３４４とを含む。
【０３７５】
図３１において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５と、ＣＰＵ３４１３に接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０３７６】
コンピュータシステム３４０に、上述した実施の形態の情報出力装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０３７７】
プログラムは、コンピュータ３４１に、上述した実施の形態の情報出力装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０３７８】
また、上記プログラムを実行するコンピュータは、単数であってもよく、複数であってもよい。すなわち、集中処理を行ってもよく、あるいは分散処理を行ってもよい。
【０３７９】
また、上記各実施の形態において、各処理（各機能）は、単一の装置（システム）によって集中処理されることによって実現されてもよく、あるいは、複数の装置によって分散処理されることによって実現されてもよい。
【０３８０】
本発明は、以上の実施の形態に限定されることなく、種々の変更が可能であり、それらも本発明の範囲内に包含されるものであることは言うまでもない。
【産業上の利用可能性】
【０３８１】
以上のように、本発明にかかる情報出力装置は、特許書類から課題情報と効果情報を適切に抽出できるという効果を有し、情報出力装置等として有用である。
【符号の説明】
【０３８２】
１  情報出力装置
２  情報蓄積装置
１１  特許書類格納部
１２  課題手がかり表現群格納部
１３  効果手がかり表現群格納部
１４  文章取得部
１５  課題表現取得部
１６  効果表現取得部
１７  出力部
２５  効果名詞取得部
２６  効果動詞取得部
２７  効果手がかり表現取得部
２８  効果手がかり表現蓄積部
２９  課題動詞取得部
３０  課題手がかり表現取得部
３１  課題手がかり表現蓄積部
３２  制御部
【図１】
2011022668.tif 000010
【図２】
2011022668.tif 000011
【図３】
2011022668.tif 000012
【図４】
2011022668.tif 000013
【図５】
2011022668.tif 000014
【図６】
2011022668.tif 000015
【図７】
2011022668.tif 000016
【図８】
2011022668.tif 000017
【図９】
2011022668.tif 000018
【図１０】
2011022668.tif 000019
【図１１】
2011022668.tif 000020
【図１２】
2011022668.tif 000021
【図１３】
2011022668.tif 000022
【図１４】
2011022668.tif 000023
【図１５】
2011022668.tif 000024
【図１６】
2011022668.tif 000025
【図１７】
2011022668.tif 000026
【図１８】
2011022668.tif 000027
【図１９】
2011022668.tif 000028
【図２０】
2011022668.tif 000029
【図２１】
2011022668.tif 000030
【図２２】
2011022668.tif 000031
【図２３】
2011022668.tif 000032
【図２４】
2011022668.tif 000033
【図２５】
2011022668.tif 000034
【図２６】
2011022668.tif 000035
【図２７】
2011022668.tif 000036
【図２８】
2011022668.tif 000037
【図２９】
2011022668.tif 000038
【図３０】
2011022668.tif 000039
【図３１】
2011022668.tif 000040